(57)【特許請求の範囲】
【請求項１】
肯定応答ＡＣＫ／否定応答ＮＡＣＫ（ＡＣＫｎｏｗｌｅｄｇｅｍｅｎｔ／Ｎｏｎ−ＡＣＫｎｏｗｌｅｄｇｅｍｅｎｔ）とスケジューリング要求ＳＲ（Ｓｃｈｅｄｕｌｉｎｇ  Ｒｅｑｕｅｓｔ）とを含むアップリンク制御情報がリピート伝送されるサブフレームを確定することと、
第１サブフレームでＡＣＫ／ＮＡＣＫとＳＲを伝送する必要のあることを確定した場合、アップリンク制御情報選択ルールに基づいて、前記第１サブフレームで伝送される必要のあるＡＣＫ／ＮＡＣＫとＳＲから１つを選択することと、
選択したアップリンク制御情報を前記第１サブフレームで伝送させることと、
を含み、
前記アップリンク制御情報選択ルールは、
ＡＣＫ／ＮＡＣＫとＳＲのうちのＳＲが選択されるルール２、
ＡＣＫ、ＮＡＣＫ、ＳＲのプライオリティに基づいて、ＡＣＫ／ＮＡＣＫとＳＲのうちの１つが選択されるルール３、
前記第１サブフレームより前のサブフレームでリピート伝送されるアップリンク制御情報のタイプに基づいて、ＡＣＫ／ＮＡＣＫとＳＲのうちの１つが選択されるルール４、
アップリンク制御情報が前記第１サブフレームより前にリピート伝送される回数である第１伝送回数および／またはアップリンク制御情報のリピート伝送総回数である第２伝送回数に基づいて、ＡＣＫ／ＮＡＣＫとＳＲのうちの１つが選択されるルール５、
のうちの１つまたは複数を含み、
ここで、ＡＣＫ、ＮＡＣＫ、ＳＲのプライオリティに基づいて、ＡＣＫ／ＮＡＣＫとＳＲのうちの１つが選択されることは、
第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫが選択されるが、そうでない場合、前記第１サブフレームで伝送される必要のあるＡＣＫ／ＮＡＣＫとＳＲからＳＲが選択されること、
または、
前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲが選択されること、
を含むアップリンク制御情報伝送方法。
【請求項２】
前記第１サブフレームより前のサブフレームでリピート伝送されるアップリンク制御情報のタイプに基づいて、ＡＣＫ／ＮＡＣＫとＳＲのうちの１つが選択されることは、
前記第１サブフレームより前のサブフレームでリピート伝送されるアップリンク制御情報のタイプに基づいて、同一タイプのアップリンク制御情報が前記第１サブフレームで伝送される必要のあるＡＣＫ／ＮＡＣＫとＳＲから選択されることを含む請求項１に記載の方法。
【請求項３】
アップリンク制御情報の第１伝送回数および／または第２伝送回数に基づいて、ＡＣＫ／ＮＡＣＫとＳＲのうちの１つが選択されることは、
前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報が、前記第１サブフレームで伝送される必要のあるＡＣＫ／ＮＡＣＫとＳＲから選択されるが、そうでない場合、前記第１サブフレームより前にリピート伝送されるアップリンク制御情報と異なるタイプのアップリンク制御情報が、前記第１サブフレームで伝送される必要のあるＡＣＫ／ＮＡＣＫとＳＲから選択されること、
または、
ＡＣＫ／ＮＡＣＫの第２伝送回数とＳＲの第２伝送回数に基づいて、第２伝送回数の大きいほうまたは小さいほうのアップリンク制御情報を選択し、選択したアップリンク制御情報のタイプに基づいて、同一タイプのアップリンク制御情報が、前記第１サブフレームで伝送される必要のあるＡＣＫ／ＮＡＣＫとＳＲから選択されること、
を含む請求項１に記載の方法。
【請求項４】
アップリンク制御情報の第１伝送回数および／または第２伝送回数、および前記第１サブフレームより前のサブフレームでリピート伝送されるアップリンク制御情報のタイプに基づいて、ＡＣＫ／ＮＡＣＫとＳＲのうちの１つが選択されることは、
前記第１サブフレームより前にリピート伝送されるアップリンク制御情報がＡＣＫでありかつＡＣＫの第１伝送回数と前記第２伝送回数との比の値が第１閾値より大きくなる場合、前記第１サブフレームで伝送される必要のあるＡＣＫ／ＮＡＣＫとＳＲからＡＣＫ／ＮＡＣＫが選択されるが、そうでない場合、前記第１サブフレームで伝送される必要のあるＡＣＫ／ＮＡＣＫとＳＲからＳＲが選択されることを含む請求項１に記載の方法。
【請求項５】
前記第１サブフレームより前のサブフレームでリピート伝送されるアップリンク制御情報のタイプ、およびＡＣＫ、ＮＡＣＫ、ＳＲのプライオリティに基づいて、ＡＣＫ／ＮＡＣＫとＳＲのうちの１つが選択されることは、
前記第１サブフレームより前のサブフレームでリピート伝送されるアップリンク制御情報がＳＲでありかつ前記第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫが選択されるが、そうでない場合、前記第１サブフレームより前のサブフレームでリピート伝送されるアップリンク制御情報のタイプに基づいて、同一タイプのアップリンク制御情報が、前記第１サブフレームで伝送される必要のあるＡＣＫ／ＮＡＣＫとＳＲから選択されることを含む請求項１に記載の方法。
【請求項６】
選択したアップリンク制御情報を前記第１サブフレームで伝送させることは、
選択したアップリンク制御情報がＡＣＫ／ＮＡＣＫである場合、前記第１サブフレームのＡＣＫ／ＮＡＣＫに対応するＰＵＣＣＨリソースで、ＡＣＫ／ＮＡＣＫに対応するＰＵＣＣＨ伝送方法によって、前記第１サブフレームで伝送される必要のあるＡＣＫ／ＮＡＣＫを伝送させること、
または、
選択したアップリンク制御情報がＳＲである場合、前記第１サブフレームのＳＲに対応するＰＵＣＣＨリソースで、ＳＲに対応するＰＵＣＣＨ伝送方法によって、前記第１サブフレームで伝送される必要のあるＳＲを伝送させること、
を含む請求項１〜５のいずれか一項に記載の方法。
【請求項７】
肯定応答ＡＣＫ／否定応答ＮＡＣＫ（ＡＣＫｎｏｗｌｅｄｇｅｍｅｎｔ／Ｎｏｎ−ＡＣＫｎｏｗｌｅｄｇｅｍｅｎｔ）伝送サブフレームでもありスケジューリング要求ＳＲ（Ｓｃｈｅｄｕｌｉｎｇ  Ｒｅｑｕｅｓｔ）伝送サブフレームでもある第１サブフレームを含むサブフレームを受信することを含み、ここで、アップリンク制御情報選択ルールに基づいて、前記第１サブフレームで伝送されるアップリンク制御情報にはＡＣＫ／ＮＡＣＫ、ＳＲのうちの１つが含まれ、
さらに、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得することを含み、
前記アップリンク制御情報選択ルールは、
ＡＣＫ／ＮＡＣＫとＳＲのうちのＳＲが選択されるルール２、
ＡＣＫ、ＮＡＣＫ、ＳＲのプライオリティに基づいて、ＡＣＫ／ＮＡＣＫとＳＲのうちの１つが選択されるルール３、
前記第１サブフレームより前のサブフレームでリピート伝送されるアップリンク制御情報のタイプに基づいて、ＡＣＫ／ＮＡＣＫとＳＲのうちの１つが選択されるルール４、
アップリンク制御情報が前記第１サブフレームより前にリピート伝送される回数である第１伝送回数および／またはアップリンク制御情報のリピート伝送総回数である第２伝送回数に基づいて、ＡＣＫ／ＮＡＣＫとＳＲのうちの１つが選択されるルール５、
のうちの１つまたは複数を含み、
ここで、ＡＣＫ、ＮＡＣＫ、ＳＲのプライオリティに基づいて、ＡＣＫ／ＮＡＣＫとＳＲのうちの１つが選択されることは、
第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫが選択されるが、そうでない場合、前記第１サブフレームで伝送される必要のあるＡＣＫ／ＮＡＣＫとＳＲからＳＲが選択されること、
または、
前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲが選択されること、
を含むアップリンク制御情報伝送方法。
【請求項８】
前記第１サブフレームより前のサブフレームでリピート伝送されるアップリンク制御情報のタイプに基づいて、ＡＣＫ／ＮＡＣＫとＳＲのうちの１つが選択されることは、
前記第１サブフレームより前のサブフレームでリピート伝送されるアップリンク制御情報のタイプに基づいて、同一タイプのアップリンク制御情報が前記第１サブフレームで伝送される必要のあるＡＣＫ／ＮＡＣＫとＳＲから選択されることを含む請求項７に記載の方法。
【請求項９】
アップリンク制御情報の第１伝送回数および／または第２伝送回数に基づいて、ＡＣＫ／ＮＡＣＫとＳＲのうちの１つが選択されることは、
前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報が、前記第１サブフレームで伝送される必要のあるＡＣＫ／ＮＡＣＫとＳＲから選択されるが、そうでない場合、前記第１サブフレームより前にリピート伝送されるアップリンク制御情報と異なるタイプのアップリンク制御情報が、前記第１サブフレームで伝送される必要のあるＡＣＫ／ＮＡＣＫとＳＲから選択されること、
または、
ＡＣＫ／ＮＡＣＫの第２伝送回数とＳＲの第２伝送回数に基づいて、第２伝送回数の大きいほうまたは小さいほうのアップリンク制御情報を選択し、選択したアップリンク制御情報のタイプに基づいて、同一タイプのアップリンク制御情報が、前記第１サブフレームで伝送される必要のあるＡＣＫ／ＮＡＣＫとＳＲから選択されること、
を含む請求項７に記載の方法。
【請求項１０】
肯定応答ＡＣＫ／否定応答ＮＡＣＫ（ＡＣＫｎｏｗｌｅｄｇｅｍｅｎｔ／Ｎｏｎ−ＡＣＫｎｏｗｌｅｄｇｅｍｅｎｔ）とスケジューリング要求ＳＲ（Ｓｃｈｅｄｕｌｉｎｇ  Ｒｅｑｕｅｓｔ）とを含むアップリンク制御情報がリピート伝送されるサブフレームを確定するための確定モジュールと、
第１サブフレームでＡＣＫ／ＮＡＣＫとＳＲを伝送する必要のあることを確定した場合、アップリンク制御情報選択ルールに基づいて、前記第１サブフレームで伝送される必要のあるＡＣＫ／ＮＡＣＫとＳＲから１つを選択するための選択モジュールと、
選択したアップリンク制御情報を前記第１サブフレームで伝送するための伝送モジュールと、
を含み、
前記アップリンク制御情報選択ルールは、
ＡＣＫ／ＮＡＣＫとＳＲのうちのＳＲが選択されるルール２、
ＡＣＫ、ＮＡＣＫ、ＳＲのプライオリティに基づいて、ＡＣＫ／ＮＡＣＫとＳＲのうちの１つが選択されるルール３、
前記第１サブフレームより前のサブフレームでリピート伝送されるアップリンク制御情報のタイプに基づいて、ＡＣＫ／ＮＡＣＫとＳＲのうちの１つが選択されるルール４、
アップリンク制御情報が前記第１サブフレームより前にリピート伝送される回数である第１伝送回数および／またはアップリンク制御情報のリピート伝送総回数である第２伝送回数に基づいて、ＡＣＫ／ＮＡＣＫとＳＲのうちの１つが選択されるルール５、
のうちの１つまたは複数を含み、
ここで、ＡＣＫ、ＮＡＣＫ、ＳＲのプライオリティに基づいて、ＡＣＫ／ＮＡＣＫとＳＲのうちの１つが選択されることは、
第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫが選択されるが、そうでない場合、前記第１サブフレームで伝送される必要のあるＡＣＫ／ＮＡＣＫとＳＲからＳＲが選択されること、
または、
前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲが選択されること
を含む端末。
【請求項１１】
肯定応答ＡＣＫ／否定応答ＮＡＣＫ（ＡＣＫｎｏｗｌｅｄｇｅｍｅｎｔ／Ｎｏｎ−ＡＣＫｎｏｗｌｅｄｇｅｍｅｎｔ）伝送サブフレームでもありスケジューリング要求ＳＲ（Ｓｃｈｅｄｕｌｉｎｇ  Ｒｅｑｕｅｓｔ）伝送サブフレームでもある第１サブフレームを含むサブフレームを受信するための受信モジュールを含み、ここで、アップリンク制御情報選択ルールに基づいて、前記第１サブフレームで伝送されるアップリンク制御情報にはＡＣＫ／ＮＡＣＫ、ＳＲのうちの１つが含まれ、
さらに、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得するための取得モジュールを含み、
前記アップリンク制御情報選択ルールは、
ＡＣＫ／ＮＡＣＫとＳＲのうちのＳＲが選択されるルール２、
ＡＣＫ、ＮＡＣＫ、ＳＲのプライオリティに基づいて、ＡＣＫ／ＮＡＣＫとＳＲのうちの１つが選択されるルール３、
前記第１サブフレームより前のサブフレームでリピート伝送されるアップリンク制御情報のタイプに基づいて、ＡＣＫ／ＮＡＣＫとＳＲのうちの１つが選択されるルール４、
アップリンク制御情報が前記第１サブフレームより前にリピート伝送される回数である第１伝送回数および／またはアップリンク制御情報のリピート伝送総回数である第２伝送回数に基づいて、ＡＣＫ／ＮＡＣＫとＳＲのうちの１つが選択されるルール５、
のうちの１つまたは複数を含み、
ここで、ＡＣＫ、ＮＡＣＫ、ＳＲのプライオリティに基づいて、ＡＣＫ／ＮＡＣＫとＳＲのうちの１つが選択されることは、
第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫが選択されるが、そうでない場合、前記第１サブフレームで伝送される必要のあるＡＣＫ／ＮＡＣＫとＳＲからＳＲが選択されること、
または、
前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲが選択されること
を含む基地局。
【発明の詳細な説明】
【技術分野】
【０００１】
本願は、２０１５年７月２９日に中国特許庁に提出された中国特許出願２０１５１０４５５２５７．０の優先権を主張し、その全ての内容が援用により本願に取り込まれる。
【０００２】
本発明は、無線通信の技術分野に係り、特にアップリンク制御情報伝送方法および装置に関する。
【背景技術】
【０００３】
ＩＯＴ（Ｉｎｔｅｒｎｅｔ  ｏｆ  Ｔｈｉｎｇｓ）の発展に伴い、ＬＴＥ（Ｌｏｎｇ  Ｔｅｒｍ  Ｅｖｏｌｕｔｉｏｎ）システムでＭＴＣ（Ｍａｃｈｉｎｅ  Ｔｙｐｅ  Ｃｏｍｍｕｎｉｃａｔｉｏｎ）をサポートすることは、ますます重要視されている。一台のＭＴＣ機器（ＭＴＣ端末）は、例えば移動性が低い、伝送データ量が小さい、通信遅延に敏感でない、極めて低い電力損失が要求されるなど、複数のＭ２Ｍ（Ｍａｃｈｉｎｅ  ｔｏ  Ｍａｃｈｉｎｅ）通信特性のうちの幾つかの特性を有する可能性がある。ここで、ＭＴＣ  ＵＥ（Ｕｓｅｒ  Ｅｑｕｉｐｍｅｎｔ、端末ともいう）のコスト低減のために、アップリンクでもダウンリンクでも１．４ＭＨｚのラジオ周波数帯域幅しかサポートしないタイプのＵＥが新たに定義されている。
【０００４】
従来技術のネットワークにおいて、例えば地下室、デパートや建築物の隅など、一部のシーンで動作する端末は、無線信号が深刻に遮られるため、信号の減衰が大きく、ネットワークとの通信ができないが、これらのシーンでネットワークのカバレッジを強化すれば、ネットワークの構築コストが大幅に増加することになる。カバレッジを強化するために、従来技術のチャネルにリピート伝送や類似技術を応用することは、有効な手段として考えられる。例えば、アップリンク制御情報のリピート伝送によって、カバレッジを強化する。
【０００５】
アップリンク制御情報ＵＣＩ（Ｕｐｌｉｎｋ  Ｃｏｎｔｒｏｌ  Ｉｎｆｏｒｍａｔｉｏｎ）は、肯定応答ＡＣＫ／否定応答ＮＡＣＫ（ＡＣＫｎｏｗｌｅｄｇｅｍｅｎｔ／Ｎｏｎ−ＡＣＫｎｏｗｌｅｄｇｅｍｅｎｔ）、チャネル状態情報ＣＳＩ（Ｃｈａｎｎｅｌ  Ｓｔａｔｅ  Ｉｎｆｏｒｍａｔｉｏｎ）、スケジューリング要求ＳＲ（Ｓｃｈｅｄｕｌｉｎｇ  Ｒｅｑｕｅｓｔ）を含む。
【０００６】
ＡＣＫ／ＮＡＣＫ伝送サブフレームは、フィードバック時系列によって決められるが、ＳＲ伝送サブフレームは、予め設定された周期的サブフレームである。従って、カバレッジ強化のための伝送が行われる場合、あるアップリンク制御情報のリピート伝送期間中のある時点に、別のアップリンク制御情報が現れる可能性があり、すなわち２つのアップリンク制御情報の衝突が生じてしまう。
【０００７】
現在、リピート伝送中のＡＣＫ／ＮＡＣＫとＳＲの衝突発生に対し、まだ有効な解決策がない。
【発明の概要】
【発明が解決しようとする課題】
【０００８】
本発明の実施例は、アップリンク制御情報のリピート伝送を実現するためのアップリンク制御情報伝送方法および装置を提供する。
【課題を解決するための手段】
【０００９】
本発明の実施例によるアップリンク制御情報伝送方法は、
ＡＣＫ／ＮＡＣＫとＳＲとを含むアップリンク制御情報がリピート伝送されるサブフレームを確定することと、
第１サブフレームでＡＣＫ／ＮＡＣＫとＳＲを伝送する必要のあることを確定した場合、アップリンク制御情報選択ルールに基づいて、前記第１サブフレームで伝送される必要のあるＡＣＫ／ＮＡＣＫとＳＲから１つを選択することと、
選択したアップリンク制御情報を前記第１サブフレームで伝送させることと、を含む。
【００１０】
本発明の別の実施例によるアップリンク制御情報伝送方法は、
ＡＣＫ／ＮＡＣＫ伝送サブフレームでもありＳＲ伝送サブフレームでもある第１サブフレームを含むサブフレームを受信することを含み、ここで、アップリンク制御情報選択ルールに基づいて、前記第１サブフレームで伝送されるアップリンク制御情報にはＡＣＫ／ＮＡＣＫ、ＳＲのうちの１つが含まれ、
さらに、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得することを含む。
【００１１】
本発明の実施例による端末は、
ＡＣＫ／ＮＡＣＫとＳＲとを含むアップリンク制御情報がリピート伝送されるサブフレームを確定するための確定モジュールと、
第１サブフレームでＡＣＫ／ＮＡＣＫとＳＲを伝送する必要のあることを確定した場合、アップリンク制御情報選択ルールに基づいて、前記第１サブフレームで伝送される必要のあるＡＣＫ／ＮＡＣＫとＳＲから１つを選択するための選択モジュールと、
選択したアップリンク制御情報を前記第１サブフレームで伝送するための伝送モジュールと、を含む。
【００１２】
本発明の実施例による基地局は、
ＡＣＫ／ＮＡＣＫ伝送サブフレームでもありＳＲ伝送サブフレームでもある第１サブフレームを含むサブフレームを受信するための受信モジュールを含み、ここで、アップリンク制御情報選択ルールに基づいて、前記第１サブフレームで伝送されるアップリンク制御情報にはＡＣＫ／ＮＡＣＫ、ＳＲのうちの１つが含まれ、
さらに、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得するための取得モジュールを含む。
【発明の効果】
【００１３】
本発明の上記実施例では、アップリンク制御情報がリピート伝送されるサブフレームを確定し、第１サブフレームでＡＣＫ／ＮＡＣＫとＳＲを伝送する必要のあることを確定した場合、前記第１サブフレームで伝送される必要のあるＡＣＫ／ＮＡＣＫとＳＲから１つを選択し、選択したアップリンク制御情報を前記第１サブフレームで伝送させる。このように、リピート伝送が採用される端末は、ＡＣＫ／ＮＡＣＫとＳＲが同一サブフレームで衝突すると、ＡＣＫ／ＮＡＣＫとＳＲのうちの１つのみを当該サブフレームで伝送する。よって、リピート伝送中のＡＣＫ／ＮＡＣＫとＳＲの衝突発生時にＡＣＫ／ＮＡＣＫまたはＳＲのリピート伝送のジャンプによるリピート伝送性能の悪化や正しく伝送できないことが避けられることを保証し、アップリンク制御情報の正確なリピート伝送を実現する。
【図面の簡単な説明】
【００１４】
本発明の実施例や従来技術の技術手段をより明確に説明するために、以下、実施例や従来技術の記載に必要とされる図面を簡単に紹介する。明らかに、以下の記載に関する図面は、単に本発明の一部の実施例である。当業者にとって、創造性のある作業をしない前提で、これらの図面から他の図面を得ることもできる。以下の図面は、本願の趣旨を示すことに重点を置いており、実際のサイズに拘って等比例に縮小／拡大して作成したものではない。
【００１５】
【図１ａ】従来技術におけるＳＲリピート伝送の概略図である。
【図１ｂ】従来技術におけるＳＲリピート伝送の概略図である。
【図２】本発明の少なくとも１つの実施例による、端末側で実現されるアップリンク制御情報伝送のフローチャートである。
【図３】本発明の少なくとも１つの実施例による、基地局側で実現されるアップリンク制御情報伝送のフローチャートである。
【図４ａ】それぞれ本発明の少なくとも１つの実施例による、端末側で実現される別のアップリンク制御情報伝送フローチャートである。
【図４ｂ】それぞれ本発明の少なくとも１つの実施例による、端末側で実現される別のアップリンク制御情報伝送フローチャートである。
【図５ａ】それぞれ本発明の少なくとも１つの実施例による、基地局側で実現される別のアップリンク制御情報伝送フローチャートである。
【図５ｂ】それぞれ本発明の少なくとも１つの実施例による、基地局側で実現される別のアップリンク制御情報伝送フローチャートである。
【図６】本発明の少なくとも１つの実施例による端末の概略構造図である。
【図７】本発明の少なくとも１つの実施例による端末の別の概略構造図である。
【図８】本発明の少なくとも１つの実施例による基地局の概略構造図である。
【図９】本発明の少なくとも１つの実施例による基地局の別の概略構造図である。
【発明を実施するための形態】
【００１６】
本発明の実施例の目的、技術手段及び利点をより明確にするために、以下、本発明の実施例の図面を参照しながら、本発明の実施例の技術手段を明確且つ完全に記載する。明らかに、記載する実施例は、本発明の実施例の一部であり、全てではない。記載する本発明の実施例に基づき、当業者が為しえる全ての実施例は、いずれも本発明の保護範囲に属するものである。
【００１７】
ＬＴＥシステムにおいて、ＡＣＫ／ＮＡＣＫは、物理アップリンク制御チャネルＰＵＣＣＨ（Ｐｈｙｓｉｃａｌ  Ｕｐｌｉｎｋ  Ｃｏｎｔｒｏｌ  ＣＨａｎｎｅｌ）フォーマット１ａ／１ｂ、チャネルセレクション付きＰＵＣＣＨフォーマット１ｂ（ＰＵＣＣＨ  ｆｏｒｍａｔ  １ｂ  ｗｉｔｈ  ｃｈａｎｎｅｌ  ｓｅｌｅｃｔｉｏｎ）またはＰＵＣＣＨフォーマット（ｆｏｒｍａｔ）３を用いて伝送され、その伝送リソースとして、最小の制御チャネルエレメントＣＣＥ（Ｃｏｎｔｒｏｌ  Ｃｈａｎｎｅｌ  Ｅｌｅｍｅｎｔ）／拡張型制御チャネルエレメントＥ−ＣＣＥ（Ｅｎｈａｎｃｅｄ−Ｃｏｎｔｒｏｌ  Ｃｈａｎｎｅｌ  Ｅｌｅｍｅｎｔ）によって決められる暗示式ＰＵＣＣＨリソースであってもよく、ハイレイヤシグナリングによって予め設定された半静的ＰＵＣＣＨリソースであってもよい。ＡＣＫ／ＮＡＣＫ伝送サブフレームの位置は、所定のフィードバック時系列によって決められる。周波数分割複信ＦＤＤ（Ｆｒｅｑｕｅｎｃｙ  Ｄｉｖｉｓｉｏｎ  Ｄｕｐｌｅｘ）システムの場合、アップリンクサブフレームｎでは、ＡＣＫ／ＮＡＣＫフィードバックが行われるダウンリンクサブフレームは、ｎ−４である。時分割複信ＴＤＤ（Ｔｉｍｅ  Ｄｉｖｉｓｉｏｎ  Ｄｕｐｌｅｘ）システムの場合、端末は、同一のアップリンクサブフレーム内で、複数のダウンリンクサブフレームのＡＣＫ／ＮＡＣＫフィードバック情報をフィードバックする必要がある。同一のアップリンクサブフレームで、ＡＣＫ／ＮＡＣＫフィードバックが行われるダウンリンクサブフレーム数をＭと定義し、Ｍの値が異なるアップリンクサブフレームと異なるＴＤＤアップリンク／ダウンリンク配置では異なる。表１に示すように、アップリンクサブフレームｎで、ＡＣＫ／ＮＡＣＫフィードバックが行われるダウンリンクサブフレームの集合は、サブフレーム番号がｎ−ｋであるダウンリンクサブフレームであり、ここで、ｋは、表１のアップリンクサブフレームｎに対応する集合｛ｋ０，ｋ１，…ｋＭ−１｝のうちの１つの要素である。特に、通常サイクリックプレフィックスＣＰ（Ｃｙｃｌｉｃ  Ｐｒｅｆｉｘ）が使用される特殊サブフレームに対して０や５を設置し、拡張ＣＰが使用される特殊サブフレームに対して０や４を設置し、特殊サブフレームではＡＣＫ／ＮＡＣＫフィードバックがなく、すなわちアップリンクサブフレームｎに対応するダウンリンクサブフレーム集合には、特殊サブフレームが含まれない。
【００１８】
【表１】
0006700377.tif 000002
【００１９】
ここで、表１は、１つの無線フレームと例とし、各アップリンクサブフレームに対応するＫが示され、ここで、ｎ−ｋ＜０が１つ前の無線フレームのダウンリンクサブフレームを示す。
【００２０】
ＳＲは、ＰＵＣＣＨ  ｆｏｒｍａｔ  １を使用して伝送され、その伝送リソースとして、ハイレイヤシグナリングによって予め設定されるＰＵＣＣＨリソースであり、その伝送サブフレームが所定の周期的サブフレームである。その周期ＳＲＰＥＲＩＯＤＩＣＩＴＹとサブフレームオフセットＮＯＦＦＳＥＴ，ＳＲは、ともにハイレイヤシグナリングによって予め設定されたパラメータＩＳＲで示され、具体的な対応関係が表２に示されている。これらの所定の周期とオフセット値によって決められるアップリンクサブフレームは、ＳＲ伝送に用いられる。しかし、端末は、これらのサブフレームで毎回ＳＲを伝送するというわけではない。ＳＲを伝送するか否かは、端末によるＳＲ伝送が端末のハイレイヤによってトリガーされるか否か、すなわち送信する必要のあるアップリンクデータが端末にあるか否かに決められ、アップリンクリソースのスケジューリングを要求する必要がある。これによれば、基地局は、ダウンリンクサービスをスケジューリングするサブフレームに基づいて、端末によるＡＣＫ／ＮＡＣＫ伝送が行われるアップリンクサブフレームを正しく確定することができ、当該サブフレームでＡＣＫ／ＮＡＣＫを受信する。しかし、基地局は、端末によるＳＲ伝送が実際に行われるアップリンクサブフレームを確定することができず、周期的ＳＲサブフレームでＳＲ  ＰＵＣＣＨチャネルをモニタリングする必要があり、ＳＲに対応するＰＵＣＣＨチャネルリソースで情報を受信したか否かに応じて、端末によるＳＲ伝送が行われたかを判断する。
【００２１】
【表２】
0006700377.tif 000003
【００２２】
従来技術のＬＴＥシステム（例えばＲｅｌ−１０／１１／１２）において、ＡＣＫ／ＮＡＣＫとＳＲの同一アップリンクサブフレームでのＰＵＣＣＨ同時伝送がサポートされている。端末にＰＵＣＣＨ  ｆｏｒｍａｔ  ３が使用される場合、ＡＣＫ／ＮＡＣＫとＳＲは、ジョイント符号化によって同時伝送される。すなわち、１ビットのＳＲ情報は、ＡＣＫ／ＮＡＣＫ情報の末端部にカスケーディングされ、ＡＣＫ／ＮＡＣＫとともに符号化され、ＰＵＣＣＨ  ｆｏｒｍａｔ  ３で伝送される。当該方法を使用した場合、所定の周期的ＳＲサブフレームにおいて、当該ＳＲサブフレームで端末によるＳＲ伝送必要が実にあるか否かにかかわらず、ＡＣＫ／ＮＡＣＫとのジョイント符号化が行われる１ビットのＳＲが存在すると仮定する必要がある。これは、ＳＲサブフレームで端末によるＳＲ伝送が実に存在するか否かを基地局側で確定できなければ、端末の実伝送ビット数を確定することができず、正しく復号できないので、ＡＣＫ／ＮＡＣＫとＳＲのＰＵＣＣＨ  ｆｏｒｍａｔ  ３によるジョイント符号化伝送の場合、基地局と端末とで伝送ビット数の認識を一致させるために一定の伝送ビット数を約束する必要があり、すなわちＳＲサブフレームで常に１ビットのＳＲ伝送が存在するとする（端末が実際にＳＲを伝送する必要がなくても、１ビットの情報を生成してキープする必要がある）からである。
【００２３】
他の場合に、例えば端末にＰＵＣＣＨ  ｆｏｒｍａｔ  １ｂ  ｗｉｔｈ  ｃｈａｎｎｅｌまたはＰＵＣＣＨ  ｆｏｒｍａｔ  １ａ／１ｂが使用される場合、ＡＣＫ／ＮＡＣＫフィードバックサブフレームで同時にＳＲ伝送が存在すれば（すなわちＡＣＫ／ＮＡＣＫフィードバックサブフレームがちょうど所定の周期的ＳＲ伝送サブフレームであり、かつ端末による当該ＳＲ伝送サブフレームでのＳＲ伝送がトリガーされた）、ＡＣＫ／ＮＡＣＫ情報を所定のＳＲに対応するＰＵＣＣＨリソースで伝送する。ＡＣＫ／ＮＡＣＫフィードバックサブフレームでＳＲ伝送が存在しなければ（すなわち当該サブフレームが周期的ＳＲ伝送サブフレームではなく、または、当該サブフレームが周期的ＳＲ伝送サブフレームであるものの端末が当該サブフレームでＳＲを伝送する必要がない）、ＡＣＫ／ＮＡＣＫ情報は、使用される伝送方式（例えばＰＵＣＣＨ  ｆｏｒｍａｔ  １ｂ  ｗｉｔｈ  ｃｈａｎｎｅｌまたはＰＵＣＣＨ  ｆｏｒｍａｔ  １ａ／１ｂ）によって、ＡＣＫ／ＮＡＣＫに対応するＰＵＣＣＨリソースで伝送される。所定の周期的ＳＲサブフレームでＡＣＫ／ＮＡＣＫ伝送がなくＳＲ伝送のみが存在する場合、ＳＲは、ＰＵＣＣＨ  ｆｏｒｍａｔ  １によって所定のＳＲに対応するＰＵＣＣＨリソースで伝送される。すなわち、ＳＲとＡＣＫ／ＮＡＣＫの同時伝送時に、ＳＲ情報は、実に伝送されずに、ＳＲに対応するＰＵＣＣＨリソースで暗示的に伝送される。すなわち、基地局は、ＡＣＫ／ＮＡＣＫとＳＲに対応するＰＵＣＣＨリソースをブラインド検出することによって、端末によるＳＲとＡＣＫ／ＮＡＣＫの同時伝送が行われたかを確定することができる。
【００２４】
従来技術においてＡＣＫ／ＮＡＣＫとＳＲが同一サブフレームで同時に存在する場合の伝送方式をそのまま使用すると、１つの情報がリピートプロセスで２種類の異なる伝送形式で伝送され、リピート伝送の合併が実現できないことがある。例えば、ＡＣＫ／ＮＡＣＫのリピート伝送が行われるサブフレームｎ１〜ｎ２の間のサブフレームｎ３でＳＲ伝送が存在し、かつＳＲのリピート伝送がサブフレームｎ４にわたって続く必要があるとすると、従来技術によれば、図１ａと図１ｂに示すリピート伝送になる。図１ａの場合、ＡＣＫ／ＮＡＣＫのリピート伝送期間中に伝送リソースが変わるので、受信側が複数サブフレームデータを合併してリピート伝送ゲインを取得ことに不利になるほか、ＳＲがそのリピート伝送期間中の一部の期間に暗示的に伝送され、一部の期間中に実に伝送されるので、受信側では同様に当該２部分の内容を合併することができない。図１ｂの場合、ＡＣＫ／ＮＡＣＫがそのリピート伝送期間中の符号化性能が異なるので合併できないほか、ＳＲがそのリピート伝送期間中の一部の期間に暗示的に伝送され、一部の期間中に実に伝送され、かつ伝送リソースが変わるので合併できない。従って、従来技術の方法は、ＵＣＩのリピート伝送に適用しない。
【００２５】
上述の問題を解決するために、本発明の実施例は、アップリンク制御情報伝送方法を提供する。
【００２６】
以下、明細書の図面を参照しながら、本発明の実施例を詳細に記載する。
【００２７】
図２は、本発明の実施例による、端末側で実現されるアップリンク制御情報伝送のフローチャートである。前記端末は、アップリンク制御情報のリピート伝送をサポートする。前記端末は、ＭＴＣ端末であってもよい。
【００２８】
図示のように、当該フローは、以下のステップを含む。
【００２９】
ステップ２０１において、ＡＣＫ／ＮＡＣＫとＳＲとを含むアップリンク制御情報がリピート伝送されるサブフレームを確定する。
【００３０】
ここで、ＡＣＫ／ＮＡＣＫ伝送サブフレームの位置は、所定のフィードバック時系列によって決められる。ＦＤＤシステムの場合、アップリンクサブフレームｎでは、ＡＣＫ／ＮＡＣＫフィードバックが行われるダウンリンクサブフレームは、ｎ−４である。ＴＤＤシステムの場合、端末は、同一のアップリンクサブフレーム内で、複数のダウンリンクサブフレームのＡＣＫ／ＮＡＣＫフィードバック情報をフィードバックする必要がある。同一のアップリンクサブフレームで、ＡＣＫ／ＮＡＣＫフィードバックが行われるダウンリンクサブフレーム数をＭと定義し、Ｍの値が異なるアップリンクサブフレームと異なるＴＤＤアップリンク／ダウンリンク配置では異なる。表１に示すように、アップリンクサブフレームｎで、ＡＣＫ／ＮＡＣＫフィードバックが行われるダウンリンクサブフレームの集合は、サブフレーム番号がｎ−ｋであるダウンリンクサブフレームであり、ここで、ｋは、表１のアップリンクサブフレームｎに対応する集合｛ｋ０，ｋ１，…ｋＭ−１｝のうちの１つの要素である。特に、通常ＣＰが使用される特殊サブフレームに対して０や５を設置し、拡張ＣＰが使用される特殊サブフレームに対して０や４を設置し、特殊サブフレームではＡＣＫ／ＮＡＣＫフィードバックがなく、すなわちアップリンクサブフレームｎに対応するダウンリンクサブフレーム集合には、特殊サブフレームが含まれない。
【００３１】
ここで、ＳＲ伝送サブフレームは、所定の周期的サブフレームであり、その周期ＳＲＰＥＲＩＯＤＩＣＩＴＹとサブフレームオフセットＮＯＦＦＳＥＴ，ＳＲは、ともにハイレイヤシグナリングによって予め設定されたパラメータＩＳＲで示され、具体的な対応関係が表２に示されている。これらの所定の周期とオフセット値によって決められるアップリンクサブフレームは、ＳＲ伝送に用いられる。
【００３２】
ステップ２０２において、第１サブフレームで伝送される必要のあるＡＣＫ／ＮＡＣＫとＳＲを確定した場合、ステップ２０３に移行する。
【００３３】
ここで、前記第１サブフレームは、１つまたは一部のサブフレームを特定して指すというわけではなく、ここでは単に記載しやすくするために、ＡＣＫ／ＮＡＣＫとＳＲが伝送されるサブフレームを第１サブフレームという。前記第１サブフレームは、１つでもよく複数でもよく、例えば、現在伝送待ちの１つまたは複数のサブフレームである。
【００３４】
ステップ２０３において、アップリンク制御情報選択ルールに基づいて、前記第１サブフレームで伝送される必要のあるＡＣＫ／ＮＡＣＫとＳＲから１つを選択する。さらに、前記第１サブフレームで伝送される必要のあるＡＣＫ／ＮＡＣＫとＳＲのうち、選択されないアップリンク制御情報を廃棄してもよい。
【００３５】
さらに、ステップ２０２において第１サブフレームで伝送される必要のあるアップリンク制御情報にＡＣＫ／ＮＡＣＫとＳＲのうちの１つを含む場合、ステップ２０５を実行し、すなわち従来技術の方式で第１サブフレームでアップリンク制御情報を伝送する。例えば、第１サブフレームでＡＣＫ／ＮＡＣＫを伝送するがＳＲを伝送しない場合、前記第１サブフレームでのＡＣＫ／ＮＡＣＫに対応するＰＵＣＣＨリソースで、ＡＣＫ／ＮＡＣＫに対応するＰＵＣＣＨ伝送方法によってＡＣＫ／ＮＡＣＫを伝送する。第１サブフレームでＳＲを伝送するがＡＣＫ／ＮＡＣＫを伝送しない場合、前記第１サブフレームでのＳＲに対応するＰＵＣＣＨリソースで、ＳＲに対応するＰＵＣＣＨ伝送方法によってＳＲを伝送する。
【００３６】
ステップ２０４において、選択したアップリンク制御情報を前記第１サブフレームで伝送する。
【００３７】
ステップ２０４において、選択可能に、選択したアップリンク制御情報がＡＣＫ／ＮＡＣＫである場合、前記第１サブフレームでのＡＣＫ／ＮＡＣＫに対応するＰＵＣＣＨリソースで、ＡＣＫ／ＮＡＣＫに対応するＰＵＣＣＨ伝送方法によって、第１サブフレームで伝送される必要のあるＡＣＫ／ＮＡＣＫを伝送する。例えば、ＡＣＫ／ＮＡＣＫは、ＰＵＣＣＨフォーマット１ａ／１ｂ、チャネルセレクション付きＰＵＣＣＨフォーマット１ｂ（ＰＵＣＣＨ  ｆｏｒｍａｔ  １ｂ  ｗｉｔｈ  ｃｈａｎｎｅｌ  ｓｅｌｅｃｔｉｏｎ）またはＰＵＣＣＨ  ｆｏｒｍａｔ  ３を用いて伝送され、その伝送リソースとして、最小のＣＣＥ／Ｅ−ＣＣＥによって決められる暗示式ＰＵＣＣＨリソースであってもよく、ハイレイヤシグナリングによって予め設定される半静的ＰＵＣＣＨリソースであってもよい。さらに、前記第１サブフレームより前のサブフレームでリピート伝送されるアップリンク制御情報がＡＣＫ／ＮＡＣＫである場合、前記第１サブフレームでのＡＣＫ／ＮＡＣＫ伝送は、そのリピート伝送の続きである。
【００３８】
ステップ２０４において、選択可能に、選択したアップリンク制御情報がＳＲである場合、前記第１サブフレームでのＳＲに対応するＰＵＣＣＨリソースで、ＳＲに対応するＰＵＣＣＨ伝送方法によって、第１サブフレームで伝送される必要のあるＳＲを伝送する。例えば、ＳＲは、ＰＵＣＣＨ  ｆｏｒｍａｔ  １を用いて伝送され、その伝送リソースとして、ハイレイヤシグナリングによって予め設定されるＰＵＣＣＨリソースである。
【００３９】
図２に示すフローによれば、本発明の上記実施例では、アップリンク制御情報がリピート伝送されるサブフレームを確定し、第１サブフレームで伝送される必要のあるＡＣＫ／ＮＡＣＫとＳＲを確定した場合、前記第１サブフレームで伝送される必要のあるＡＣＫ／ＮＡＣＫとＳＲから１つを選択し、選択したアップリンク制御情報を前記第１サブフレームで伝送させる。このように、リピート伝送が採用される端末は、ＡＣＫ／ＮＡＣＫとＳＲが同一サブフレームで衝突すると、ＡＣＫ／ＮＡＣＫとＳＲのうちの１つのみを当該サブフレームで伝送する。よって、リピート伝送中のＡＣＫ／ＮＡＣＫとＳＲの衝突発生時にＡＣＫ／ＮＡＣＫまたはＳＲのリピート伝送のジャンプによるリピート伝送性能の悪化や正しく伝送できないことが避けられることを保証し、アップリンク制御情報の正確なリピート伝送を実現する。
【００４０】
以下、ステップ２０３の実現方式、すなわち本発明の実施例のアップリンク制御情報選択ルール、および、ステップ２０３で、前記第１サブフレームで伝送される必要のあるＡＣＫ／ＮＡＣＫとＳＲから１つを当該ルールに基づいて選択する手順を詳細に記載する。
【００４１】
本発明の実施例において、前記アップリンク制御情報選択ルールは、下記のルール１〜ルール５のうちの１つまたは複数の組み合わせを含む。
【００４２】
さらに、前記アップリンク制御情報選択ルールには、どのような場合にどのルールを使用するかの情報も含まれうる。例えば、ＡＣＫ／ＮＡＣＫとＳＲのリピート伝送の開始サブフレームが同一である場合、アップリンク制御情報を選択するためにどのルールあるいはその複数を使用する。
【００４３】
上記アップリンク制御情報選択ルールは、端末に予め設定してもよく、基地局からハイレイヤシグナリングによって端末に設定してもよい。
【００４４】
以下、ルール１〜ルール５および考えられる組み合わせを詳細に記載する。
【００４５】
（１）ルール１：
ＡＣＫ／ＮＡＣＫとＳＲのうちのＡＣＫ／ＮＡＣＫが常に選択される。この場合、ＳＲよりＡＣＫ／ＮＡＣＫのプライオリティが高いと見なしてもよい。
【００４６】
（２）ルール２：
ＡＣＫ／ＮＡＣＫとＳＲのうちのＳＲが常に選択される。この場合、ＡＣＫ／ＮＡＣＫよりＳＲのプライオリティが高いと見なしてもよい。
【００４７】
（３）ルール３：
ＡＣＫ、ＮＡＣＫ、ＳＲのプライオリティに基づいて、ＡＣＫ／ＮＡＣＫとＳＲのうちの１つが選択される。選択可能に、ＡＣＫ、ＮＡＣＫ、ＳＲのプライオリティは、高い順にＡＣＫ、ＳＲ、ＮＡＣＫである。
【００４８】
実施の際にルール３を応用する場合、端末が、前記第１サブフレームで伝送される必要のあるＡＣＫ／ＮＡＣＫ情報がＡＣＫであると判断すると、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択する。
【００４９】
実施の際にルール３を応用する場合、前記第１サブフレームで伝送される必要のあるＡＣＫ／ＮＡＣＫ情報がＮＡＣＫであると、前記第１サブフレームで伝送される必要のあるＡＣＫ／ＮＡＣＫとＳＲからＳＲを選択する。
【００５０】
（４）ルール４：
前記第１サブフレームより前のサブフレームでリピート伝送されるアップリンク制御情報のタイプに基づいて、ＡＣＫ／ＮＡＣＫとＳＲのうちの１つが選択される。
【００５１】
具体的に、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択する。
【００５２】
例えば、前記第１サブフレームより前のサブフレームでリピート伝送されるアップリンク制御情報がＡＣＫ／ＮＡＣＫであると、前記第１サブフレームで伝送される必要のあるＡＣＫ／ＮＡＣＫとＳＲからＡＣＫ／ＮＡＣＫを選択する。または、前記第１サブフレームより前のサブフレームでリピート伝送されるアップリンク制御情報がＳＲであると、前記第１サブフレームで伝送される必要のあるＡＣＫ／ＮＡＣＫとＳＲからＳＲを選択する。
【００５３】
（５）ルール５：
アップリンク制御情報が前記第１サブフレームより前にリピート伝送される回数である第１伝送回数および／またはアップリンク制御情報のリピート伝送総回数である第２伝送回数に基づいて、ＡＣＫ／ＮＡＣＫとＳＲのうちの１つが選択される。
【００５４】
ここで、アップリンク制御情報の第１伝送回数は、ＡＣＫ／ＮＡＣＫの第１伝送回数およびＳＲの第１伝送回数を含む。アップリンク制御情報の第２伝送回数は、ＡＣＫ／ＮＡＣＫの第２伝送回数およびＳＲの第２伝送回数を含む。前記アップリンク制御情報のリピート伝送総回数は、予め設定されるか、基地局からハイレイヤシグナリングによって通知される。
【００５５】
実施の際にルール５を応用する場合、少なくとも１つの実施例において、前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報が、前記第１サブフレームで伝送される必要のあるＡＣＫ／ＮＡＣＫとＳＲから選択される。そうでない場合、前記第１サブフレームより前にリピート伝送されるアップリンク制御情報と異なるタイプのアップリンク制御情報が、前記第１サブフレームで伝送される必要のあるＡＣＫ／ＮＡＣＫとＳＲから選択される。
【００５６】
例えば、前記第１サブフレームより前にリピート伝送されるアップリンク制御情報がＳＲでありかつＳＲの第１伝送回数と前記第２伝送回数との比の値が第１閾値より大きくなる場合、前記第１サブフレームで伝送される必要のあるＡＣＫ／ＮＡＣＫとＳＲからＳＲが選択される。そうでない場合、前記第１サブフレームで伝送される必要のあるＡＣＫ／ＮＡＣＫとＳＲからＡＣＫ／ＮＡＣＫが選択される。このように、ＳＲ伝送を維持しながらなるべくＡＣＫ／ＮＡＣＫを報告することによって、端末のデータ受信を保証する。ここで、第１閾値の値は、必要に応じるかシステム性能によって決められる。
【００５７】
また、例えば、前記第１サブフレームより前にリピート伝送されるアップリンク制御情報がＮＡＣＫでありかつＮＡＣＫの第１伝送回数と前記第２伝送回数との比の値が第１閾値より大きくなる場合、前記第１サブフレームで伝送される必要のあるＮＡＣＫとＳＲからＮＡＣＫが選択される。そうでない場合、前記第１サブフレームで伝送される必要のあるＮＡＣＫとＳＲからＳＲが選択される。このように、ＡＣＫ／ＮＡＣＫ報告を維持しながらなるべくＳＲを伝送することによって、端末によるデータ受信を保証するとともに、なるべくネットワーク側にスケジューリング要求を報告する。ここで、第１閾値の値は、必要に応じるかシステム性能によって決められる。
【００５８】
さらに、例えば、前記第１サブフレームより前にリピート伝送されるアップリンク制御情報がＡＣＫでありかつＡＣＫの第１伝送回数と前記第２伝送回数との比の値が第１閾値より大きくなる場合、前記第１サブフレームで伝送される必要のあるＡＣＫとＳＲからＡＣＫが選択される。そうでない場合、前記第１サブフレームで伝送される必要のあるＡＣＫとＳＲからＳＲが選択される。このように、なるべくＡＣＫ伝送を保証することによって、基地局から端末へより多くのダウンリンクデータ送信が可能にある。
【００５９】
実施の際にルール５を応用する場合、少なくとも１つの実施例において、ＡＣＫ／ＮＡＣＫの第２伝送回数とＳＲの第２伝送回数に基づいて、第２伝送回数の大きいほうのアップリンク制御情報を選択し、選択したアップリンク制御情報のタイプに基づいて、同一タイプのアップリンク制御情報が、前記第１サブフレームで伝送される必要のあるＡＣＫ／ＮＡＣＫとＳＲから選択される。
【００６０】
例えば、ＡＣＫ／ＮＡＣＫのリピート伝送総回数がＳＲのリピート伝送総回数より大きくなると、前記第１サブフレームで伝送される必要のあるＡＣＫ／ＮＡＣＫとＳＲからＡＣＫ／ＮＡＣＫを選択する。このように、なるべくＡＣＫ／ＮＡＣＫのリピート伝送回数を保証することができる。
【００６１】
実施の際にルール５を応用する場合、少なくとも１つの実施例において、ＡＣＫ／ＮＡＣＫの第２伝送回数とＳＲの第２伝送回数に基づいて、第２伝送回数の小さいほうのアップリンク制御情報を選択し、選択したアップリンク制御情報のタイプに基づいて、同一タイプのアップリンク制御情報が、前記第１サブフレームで伝送される必要のあるＡＣＫ／ＮＡＣＫとＳＲから選択される。
【００６２】
例えば、ＡＣＫ／ＮＡＣＫのリピート伝送総回数がＳＲのリピート伝送総回数より小さくなると、前記第１サブフレームで伝送される必要のあるＡＣＫ／ＮＡＣＫとＳＲからＳＲを選択する。
【００６３】
上述のルール１〜ルール５は、単独で使用してもよく、複数で組み合わせて使用してもよい。以下、いくつかの選択可能な組み合わせ方式を示す。
【００６４】
組み合わせ方式１：ルール３とルール５の組み合わせ
組み合わせ方式１では、前記第１サブフレームより前にリピート伝送されるアップリンク制御情報がＡＣＫでありかつＡＣＫの第１伝送回数と前記第２伝送回数との比の値が前記第１閾値より大きくなる場合、前記第１サブフレームで伝送される必要のあるＡＣＫ／ＮＡＣＫとＳＲからＡＣＫが選択される。そうでない場合、前記第１サブフレームで伝送される必要のあるＡＣＫ／ＮＡＣＫとＳＲからＳＲが選択される。
【００６５】
このように、ＡＣＫが既にリピート伝送される回数がそのリピート伝送総回数に示す割合が大きく、かつ前記第１サブフレームより前にリピート伝送されるアップリンク制御情報がＡＣＫである場合、前記第１サブフレームでＳＲを放棄してＡＣＫ／ＮＡＣＫを伝送することで、ＡＣＫのリピート伝送回数を大きくすることができ、基地局からより多くのダウンリンクデータが端末に送信される。上記の場合以外、例えばＡＣＫが既にリピート伝送される回数がそのリピート伝送総回数に示す割合が小さく、かつＮＡＣＫが既にリピート伝送される回数がそのリピート伝送総回数に示す割合が大きい場合、前記第１サブフレームでＳＲを放棄してＡＣＫ／ＮＡＣＫを伝送しても、基地局からより多くのダウンリンクデータが端末に送信される効果が明らかではない。したがって、前記第１サブフレームで、ＳＲ伝送を維持するために、ＡＣＫ／ＮＡＣＫを放棄してＳＲを伝送する。
【００６６】
組み合わせ方式２：ルール３とルール４の組み合わせ
組み合わせ方式２では、前記第１サブフレームより前のサブフレームでリピート伝送されるアップリンク制御情報がＳＲであり、かつ前記第１サブフレームで伝送される必要のあるＡＣＫ／ＮＡＣＫ情報がＡＣＫである場合、第１サブフレームで伝送される必要のあるＡＣＫ／ＮＡＣＫとＳＲからＡＣＫ／ＮＡＣＫが選択される。そうでない場合、前記第１サブフレームより前のサブフレームでリピート伝送されるアップリンク制御情報のタイプに基づいて、同一タイプのアップリンク制御情報が、第１サブフレームで伝送される必要のあるＡＣＫ／ＮＡＣＫとＳＲから選択される。
【００６７】
このように、前記第１サブフレームで伝送される必要のあるＡＣＫ／ＮＡＣＫ情報がＡＣＫであり、ＡＣＫのプライオリティが最も高いため、前記第１サブフレームより前のサブフレームでリピート伝送されるアップリンク制御情報がＳＲであっても、前記第１サブフレームでＳＲ伝送を放棄してＡＣＫ／ＮＡＣＫを伝送する。このように、基地局からより多くのダウンリンクデータが端末に送信される。上記の場合以外、例えば、前記第１サブフレームより前のサブフレームでリピート伝送されるアップリンク制御情報がＳＲであり、前記第１サブフレームで伝送される必要のあるＡＣＫ／ＮＡＣＫ情報がＮＡＣＫである場合、前記第１サブフレームでＳＲを放棄してＡＣＫ／ＮＡＣＫを伝送しても、基地局からより多くのダウンリンクデータが端末に送信される効果も明らかではない。したがって、前記第１サブフレームでＡＣＫ／ＮＡＣＫ伝送を放棄してＳＲを伝送することによって、同種のアップリンク制御情報の伝送を継続させ、基地局側による操作処理の難易度を下げ、リピート伝送機能が悪くなりまたは正しく伝送できない確率を下げる。
【００６８】
さらに、ＡＣＫ／ＮＡＣＫとＳＲがリピート伝送される第１個のサブフレームがちょうど同一サブフレームであると、上記ルール１〜３、５のうちの１つに基づいて、当該サブフレームで伝送されるアップリンク制御情報を選択することができる。すなわち、ＡＣＫ／ＮＡＣＫを選択してＳＲを放棄するケースと、ＳＲを選択してＡＣＫ／ＮＡＣＫを廃棄するケースと、ＡＣＫ／ＮＡＣＫがＡＣＫ情報である場合にＡＣＫ／ＮＡＣＫを選択するが、そうでない場合、ＳＲを選択するケースと、リピート伝送総回数の大きいアップリンク制御情報を選択するケースと、リピート伝送総回数の小さいアップリンク制御情報を選択するケースとを含む。特に、ＡＣＫ／ＮＡＣＫとＳＲのリピート伝送の開始サブフレームが同一でありかつリピート伝送回数が同一である場合、従来技術の方法によって２種類のアップリンク制御情報を同時に伝送してもよい。
【００６９】
図３は、本発明の実施例による、基地局側で実現されるアップリンク制御情報伝送のフローチャートである。
【００７０】
図示のように、当該フローは、以下のステップを含む。
【００７１】
ステップ３０１において、サブフレームを受信する。受信したサブフレームには、第１サブフレームを含む。前記第１サブフレームは、ＡＣＫ／ＮＡＣＫ伝送サブフレームでもありＳＲ伝送サブフレームでもある。ここで、前記アップリンク制御情報選択ルールに基づいて、前記第１サブフレームで伝送されるアップリンク制御情報にはＡＣＫ／ＮＡＣＫ、ＳＲのうちの１つが含まれる。
【００７２】
ここで、前記第１サブフレームは、１つまたは一部のサブフレームを特定して指すというわけではなく、ここでは単に記載しやすくするために、ＡＣＫ／ＮＡＣＫとＳＲが伝送されるサブフレームを第１サブフレームという。前記第１サブフレームは、１つでもよく複数でもよい。
【００７３】
選択可能に、前記第１サブフレームで伝送されるアップリンク制御情報がＡＣＫ／ＮＡＣＫである場合、前記第１サブフレームで伝送されるＡＣＫ／ＮＡＣＫは、前記第１サブフレームのＡＣＫ／ＮＡＣＫに対応するＰＵＣＣＨリソースで、ＡＣＫ／ＮＡＣＫに対応するＰＵＣＣＨ伝送方法によって伝送される。
または、前記第１サブフレームで伝送されるアップリンク制御情報がＳＲである場合、前記第１サブフレームで伝送されるＳＲは、前記第１サブフレームのＳＲに対応するＰＵＣＣＨリソースで、ＳＲに対応するＰＵＣＣＨ伝送方法によって伝送される。
【００７４】
前記第１サブフレームでのアップリンク制御情報送信プロセスは、前述の端末側によるアップリンク制御情報送信フローを参照されたい。
【００７５】
ここで、前記アップリンク制御情報選択ルールは、前述のルール１〜ルール５のうちの１つまたは複数の組み合わせを含む。前記アップリンク制御情報選択ルールは、端末に予め設定してもよく、基地局からハイレイヤシグナリングによって端末に設定してもよい。
【００７６】
ステップ３０２において、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得する。
【００７７】
以下、ステップ３０２の実現方式を詳細に記載する。
【００７８】
端末に使用されるアップリンク制御情報選択ルールが上記ルール１であると、ステップ３０２において、基地局は、前記第１サブフレームを含むＡＣＫ／ＮＡＣＫ伝送サブフレームのＡＣＫ／ＮＡＣＫに対応するＰＵＣＣＨリソースで信号を受信し、受信した信号に基づいて、ＡＣＫ／ＮＡＣＫ合併解析を行ってＡＣＫ／ＮＡＣＫを取得する。さらに、ＡＣＫ／ＮＡＣＫ合併解析を行ってＡＣＫ／ＮＡＣＫを取得しなければ、前記第１サブフレームのＳＲに対応するＰＵＣＣＨリソースでＳＲを取得する。
【００７９】
端末に使用されるアップリンク制御情報選択ルールが上記ルール２であると、ステップ３０２において、基地局は、前記第１サブフレームを含むＳＲ伝送サブフレームのＳＲに対応にＰＵＣＣＨリソースで信号を受信し、受信した信号に基づいて、ＳＲ合併解析を行ってＳＲを取得する。さらに、ＳＲ合併解析を行ってＳＲを取得しなければ、前記第１サブフレームのＡＣＫ／ＮＡＣＫに対応するＰＵＣＣＨリソースでＡＣＫ／ＮＡＣＫを取得する。
【００８０】
端末に使用されるアップリンク制御情報選択ルールが上記ルール３であると、ステップ３０２において、下記方法１〜方法３のうちの１つが実行される。
【００８１】
方法１：
前記第１サブフレームを含むＡＣＫ／ＮＡＣＫ伝送サブフレームのＡＣＫ／ＮＡＣＫに対応するＰＵＣＣＨリソースで信号を受信して合併解析を行い、前記第１サブフレームを含むＳＲ伝送サブフレームのＳＲに対応するＰＵＣＣＨリソースで信号を受信して合併解析を行う。ＡＣＫ／ＮＡＣＫの合併解析結果がＡＣＫである場合、ＳＲ合併解析結果にＳＲが存在するかにかかわらず、取得したアップリンク制御情報がＡＣＫであると確定し、かつ、端末によるＳＲ伝送が存在しないと判断する。ＡＣＫ／ＮＡＣＫの合併解析結果がＮＡＣＫでありかつＳＲの合併解析結果がＤＴＸである場合、取得したアップリンク制御情報がＮＡＣＫであると確定し、かつ、端末によるＳＲ伝送が存在しないと判断する。ＡＣＫ／ＮＡＣＫの合併解析結果がＮＡＣＫでありかつＳＲを解析で取得する場合、取得したアップリンク制御情報がＳＲであると確定する。
【００８２】
方法２：
前記第１サブフレームを含むＡＣＫ／ＮＡＣＫ伝送サブフレームのＡＣＫ／ＮＡＣＫに対応するＰＵＣＣＨリソースで信号を受信して合併解析を行い、前記第１サブフレームを含むＳＲ伝送サブフレームのＳＲに対応するＰＵＣＣＨリソースで信号を受信してキャッシュする。前記合併解析の結果によってＡＣＫ／ＮＡＣＫを取得しなかった場合、ＳＲ伝送サブフレームのＳＲに対応するＰＵＣＣＨリソースで受信したキャッシュ信号に基づいて合併解析を行う。
【００８３】
方法３：
前記第１サブフレームを含むＡＣＫ／ＮＡＣＫ伝送サブフレームのＡＣＫ／ＮＡＣＫに対応するＰＵＣＣＨリソースで信号を受信してキャッシュし、前記第１サブフレームを含むＳＲ伝送サブフレームのＳＲに対応するＰＵＣＣＨリソースで信号を受信して合併解析を行う。前記合併解析の結果によってＳＲを取得しなかった場合、ＡＣＫ／ＮＡＣＫ伝送サブフレームのＡＣＫ／ＮＡＣＫに対応するＰＵＣＣＨリソースで受信したキャッシュ信号に基づいて合併解析を行う。
【００８４】
端末に使用されるアップリンク制御情報選択ルールが上記ルール４であると、ステップ３０２において、基地局は、前記第１サブフレームを含むＡＣＫ／ＮＡＣＫ伝送サブフレームのＡＣＫ／ＮＡＣＫに対応するＰＵＣＣＨリソースで信号を受信して合併解析を行い、前記第１サブフレームを含むＳＲ伝送サブフレームのＳＲに対応するＰＵＣＣＨリソースで信号を受信してキャッシュする。前記合併解析の結果によってＡＣＫ／ＮＡＣＫを取得しなかった場合、ＳＲ伝送サブフレームのＳＲに対応するＰＵＣＣＨリソースで受信したキャッシュ信号に基づいて合併解析を行う。
【００８５】
端末に使用されるアップリンク制御情報選択ルールが上記ルール５であると、ステップ３０２において、基地局は、アップリンク制御情報の第１伝送回数と第２伝送回数を確定する。前記第１伝送回数は、アップリンク制御情報が前記第１サブフレームより前にリピート伝送される回数である。前記第２伝送回数は、アップリンク制御情報のリピート伝送総回数である。前記アップリンク制御情報の第１伝送回数と第２伝送回数との比の値が第１閾値より大きくなると、前記第１サブフレームを含むＡＣＫ／ＮＡＣＫ伝送サブフレームのＡＣＫ／ＮＡＣＫに対応するＰＵＣＣＨリソースで信号を受信し、受信した信号に基づいてＡＣＫ／ＮＡＣＫ合併解析を行ってＡＣＫ／ＮＡＣＫを取得する。そうでない場合、前記第１サブフレームを含むＳＲ伝送サブフレームのＳＲに対応するＰＵＣＣＨリソースで信号を受信し、受信した信号に基づいてＳＲ合併解析を行ってＳＲを取得する。
【００８６】
上記の基地局側で実現されるアップリンク制御情報伝送フローによれば、本発明の上記実施例における端末は、第１サブフレームで伝送される必要のあるＡＣＫ／ＮＡＣＫとＳＲを確定し、すなわちＡＣＫ／ＮＡＣＫとＳＲが同一サブフレームで衝突する場合、アップリンク制御情報選択ルールに基づいて、前記第１サブフレームで伝送される必要のあるＡＣＫ／ＮＡＣＫとＳＲから１つを選択し、選択したアップリンク制御情報を前記第１サブフレームで伝送させる。このように、リピート伝送が採用される端末は、ＡＣＫ／ＮＡＣＫとＳＲが同一サブフレームで衝突すると、ＡＣＫ／ＮＡＣＫとＳＲのうちの１つのみを当該サブフレームで伝送する。よって、リピート伝送中のＡＣＫ／ＮＡＣＫとＳＲの衝突発生時にＡＣＫ／ＮＡＣＫまたはＳＲのリピート伝送のジャンプによるリピート伝送性能の悪化や正しく伝送できないことが避けられることを保証し、アップリンク制御情報の正確なリピート伝送を実現する。対応して基地局側では、端末に使用されるアップリンク制御情報選択ルールに基づいて、対応方式でアップリンク制御情報の解析を行うことによって、端末から伝送されるアップリンク制御情報を正しく解析することができる。
【００８７】
本発明の上記実施例をより明確に理解するために、以下、具体的な実施例を参照しながら、本発明の実施例の実現プロセスを詳細に記載する。
【００８８】
少なくとも１つの実施例において、基地局は、サブフレームｎ１でのＡＣＫ／ＮＡＣＫフィードバックが必要であるダウンリンクデータを送信する。すなわち、ＡＣＫ／ＮＡＣＫのリピート伝送は、サブフレームｎ１から開始してサブフレームｎ１〜サブフレームｎ２で行われる。サブフレームｎ１〜サブフレームｎ２の間のサブフレームｎ３は、ＳＲ伝送サブフレームである。
【００８９】
ＳＲ伝送サブフレームで端末による確かなＳＲ伝送が存在し（すなわちｐｏｓｉｔｉｖｅ  ＳＲである）、ＳＲのリピート伝送期間がサブフレームｎ３〜サブフレームｎ４であると、端末側では、基地局から送信されるダウンリンクデータが端末側ですべて廃棄されれば、サブフレームｎ１〜サブフレームｎ２で端末によるＡＣＫ／ＮＡＣＫ送信が実になく、サブフレームｎ３から端末による確かなＳＲ伝送が存在すれば、サブフレームｎ４にわたってＳＲに対応するＰＵＣＣＨリソースでＳＲをリピート伝送する。端末は、基地局からスケジューリングされたダウンリンクデータを受信した場合、サブフレームｎ１でＡＣＫ／ＮＡＣＫをフィードバックする必要がある。すると、端末は、本発明の実施例によるアップリンク制御情報選択ルールに基づいて、サブフレームｎ３〜サブフレームｎ２で、伝送される必要のあるＡＣＫ／ＮＡＣＫとＳＲから１つを選択してサブフレームｎ３〜サブフレームｎ２で伝送する必要がある。
【００９０】
基地局は、端末のダウンリンクデータ紛失を予め判断できず（すなわち、サブフレームｎ１で、端末がＡＣＫ／ＮＡＣＫをフィードバックしたかを判断できない）、ＳＲ伝送サブフレームｎ３で、端末によるＳＲ伝送が実に存在するかの判断もできない。基地局は、端末に使用されるアップリンク制御情報選択ルールに基づいて、アップリンク制御情報の受信を行うことができる。
【００９１】
以下、いくつかのシーンを通して、異なるルールが採用される場合のアップリンク制御情報選択をそれぞれ記載する。
【００９２】
シーン１：ルール１に基づく選択
端末側のアップリンク制御情報伝送フローについて
図４ａに示すように、サブフレームｎ１〜サブフレームｎ２では、ＡＣＫ／ＮＡＣＫに対応するＰＵＣＣＨリソースでＡＣＫ／ＮＡＣＫがリピート伝送される。サブフレームｎ３では、サブフレームｎ３で端末による確かなＳＲ伝送が存在すると、ルール１に基づいて、サブフレームｎ２〜サブフレームｎ３では、ＳＲ伝送を放棄してＡＣＫ／ＮＡＣＫに対応するＰＵＣＣＨリソースでＡＣＫ／ＮＡＣＫを伝送する。サブフレームｎ３〜サブフレームｎ４では、ＳＲに対応するＰＵＣＣＨリソースでＳＲを伝送する。
【００９３】
基地局側のアップリンク制御情報伝送フローについて
サブフレームｎ１〜サブフレームｎ２では、ＡＣＫ／ＮＡＣＫに対応するＰＵＣＣＨリソースで信号を受信してＡＣＫ／ＮＡＣＫ合併解析を行う。もちろん、基地局は、ＡＣＫ／ＮＡＣＫの受信に加え、サブフレームｎ３からＳＲに対応するＰＵＣＣＨリソースで信号を受信してもよい。基地局は、まずＡＣＫ／ＮＡＣＫ解析をし、ＡＣＫ／ＮＡＣＫ情報を取得した場合、終了する。基地局は、ＡＣＫ／ＮＡＣＫに対応するＰＵＣＣＨリソースで信号伝送が存在しない（例えばＤＴＸと検出した）と判断すると、端末のダウンリンクデータ紛失（すなわちサブフレームｎ１からＡＣＫ／ＮＡＣＫが伝送されない）と判断し、さらにＳＲに対応するＰＵＣＣＨリソースで引き続き受信して解析でＳＲを取得する。ＳＲに対応するＰＵＣＣＨリソースでも信号伝送がない（すなわちＤＴＸと検出した）と判断すると、サブフレームｎ３で端末による実のＳＲ伝送が存在しないと判断する。
【００９４】
シーン２：ルール２に基づく選択
端末側のアップリンク制御情報伝送フローについて
図４ｂに示すように、サブフレームｎ１から、ＡＣＫ／ＮＡＣＫに対応するＰＵＣＣＨリソースでＡＣＫ／ＮＡＣＫをリピート伝送する。サブフレームｎ３では、サブフレームｎ３で端末による確かなＳＲ伝送が存在すると、ルール２に基づいて、サブフレームｎ３でＡＣＫ／ＮＡＣＫ伝送を放棄して、サブフレームｎ４にわたってＳＲに対応するＰＵＣＣＨリソースでＳＲを伝送する。
端末は、サブフレームｎ３でＳＲ伝送が存在しないと、サブフレームｎ２にわたって引き続きＡＣＫ／ＮＡＣＫに対応するＰＵＣＣＨリソースでＡＣＫ／ＮＡＣＫを伝送する。
端末は、サブフレームｎ１の段階でサブフレームｎ３でＳＲ伝送が存在すると判断できれば、サブフレームｎ１〜サブフレームｎ３でＡＣＫ／ＮＡＣＫ伝送をしなくてもよく、直接サブフレームｎ３からサブフレームｎ４にわたってＳＲを伝送する。
【００９５】
基地局側のアップリンク制御情報伝送フローについて
端末によるＳＲ伝送が存在すると仮定する。すると、サブフレームｎ３〜ｎ４では、ＳＲに対応するＰＵＣＣＨリソースで信号を受信し、合併解析でＳＲを取得する。もちろん、基地局は、ＳＲ受信に加え、サブフレームｎ１からＡＣＫ／ＮＡＣＫに対応するＰＵＣＣＨリソースで信号を受信してもよい。基地局は、まずＳＲ解析をし、ＳＲ情報を取得した場合、終了する。基地局は、ＳＲに対応するＰＵＣＣＨリソースで信号伝送が存在しない（すなわち検出結果がＤＴＸである）と判断すると、ＳＲサブフレームｎ３で端末による実のＳＲ伝送が存在しないと判断し、さらにＡＣＫ／ＮＡＣＫ対応リソースで解析でＡＣＫ／ＮＡＣＫを取得する。基地局は、ＡＣＫ／ＮＡＣＫに対応するＰＵＣＣＨリソースで信号伝送が存在しない（例えばＤＴＸと検出した）と判断すると、端末のダウンリンクデータ紛失（すなわちサブフレームｎ１からＡＣＫ／ＮＡＣＫが伝送されない）と判断する。
【００９６】
シーン３：ルール３に基づく選択
端末側のアップリンク制御情報伝送フローについて
端末は、伝送される必要のあるＡＣＫ／ＮＡＣＫ情報がＡＣＫであるかを判断し、そうである場合、サブフレームｎ１〜サブフレームｎ２で、ＡＣＫ／ＮＡＣＫに対応するＰＵＣＣＨリソースでＡＣＫをリピート伝送する。サブフレームｎ３で端末による確かなＳＲ伝送が存在すると、ルール３に基づいて、ＳＲよりＡＣＫのプライオリティが高いため、図４ａに示すように、端末は、ＳＲの伝送を放棄する。
端末は、伝送される必要のあるＡＣＫ／ＮＡＣＫ情報がＮＡＣＫであるかを判断し、そうである場合、サブフレームｎ１〜サブフレームｎ２で、ＡＣＫ／ＮＡＣＫに対応するＰＵＣＣＨリソースでＮＡＣＫをリピート伝送する。サブフレームｎ３で端末による確かなＳＲ伝送が存在すると、ルール３に基づいて、ＮＡＣＫよりＳＲのプライオリティが高いため、図４ｂに示すように、サブフレームｎ３からＮＡＣＫ伝送を放棄して、ＳＲに対応するＰＵＣＣＨリソースでＳＲをリピート伝送する。サブフレームｎ３で端末によるＳＲ伝送が存在しないと、サブフレームｎ２にわたって引き続きＡＣＫ／ＮＡＣＫに対応するＰＵＣＣＨリソースでＮＡＣＫを伝送する。
端末は、サブフレームｎ１の段階で、サブフレームｎ３でＳＲ伝送が存在すると判断できれば、サブフレームｎ１〜サブフレームｎ３でＮＡＣＫ伝送をしなくてもよく、直接サブフレームｎ３からＳＲを伝送する。
【００９７】
基地局側のアップリンク制御情報伝送フローについて
基地局は、ＡＣＫ／ＮＡＣＫ情報がＡＣＫであるかを予め判断できない。基地局は、下記方法のうちの１つを用いてアップリンク制御情報を取得することができる。
【００９８】
方法１：サブフレームｎ１〜ｎ２では、ＡＣＫ／ＮＡＣＫに対応するＰＵＣＣＨリソースで信号を受信するに加え、サブフレームｎ３〜ｎ４では、ＳＲに対応するＰＵＣＣＨリソースで信号を受信する。この２つのリソースで信号を受信してそれぞれを合併解析した結果に基づき、端末から伝送される情報がいったいＡＣＫ／ＮＡＣＫであるかＳＲであるかを総合的に判断する。例えば、ＡＣＫを解析で取得すると、端末が確かにＡＣＫを伝送し、かつＳＲを伝送しなかったと見なす。ＮＡＣＫを解析で取得すると、さらにＳＲ解析結果を見て、ＳＲがＤＴＸであると、端末がＳＲ伝送要求がなくかつ確かにＮＡＣＫを伝送したと見なす。ＳＲを解析で取得すると、ＮＡＣＫ解析がエラーであり、すなわち端末からＡＣＫ／ＮＡＣＫを伝送せず、実際に伝送したのがＳＲであると見なす。
【００９９】
方法２：まずサブフレームｎ１〜ｎ２ではＡＣＫ／ＮＡＣＫに対応するＰＵＣＣＨリソースで信号を受信し、サブフレームｎ３からＳＲに対応するＰＵＣＣＨリソースで受信した情報をキャッシュする。基地局は、ＡＣＫ／ＮＡＣＫに対応するＰＵＣＣＨリソースでのリピート伝送を合併してＡＣＫ／ＮＡＣＫを検出すると、端末が実際にＡＣＫ／ＮＡＣＫのリピート伝送をし、ＳＲを伝送しなかったと見なす。そうでない場合、端末のダウンリンクデータ紛失（すなわちサブフレームｎ１からＡＣＫ／ＮＡＣＫが伝送されない）と判断し、さらにＳＲに対応するＰＵＣＣＨリソースで引き続き受信してＳＲを解析で取得する。ＳＲに対応するＰＵＣＣＨリソースでも信号伝送がない（すなわちＤＴＸと検出する）と判断すれば、サブフレームｎ３で端末による実のＳＲ伝送がないと判断する。
【０１００】
方法３：サブフレームｎ１〜ｎ２では、ＡＣＫ／ＮＡＣＫに対応するＰＵＣＣＨリソースで信号を受信してキャッシュするとともに、サブフレームｎ３〜ｎ４では、ＳＲに対応するＰＵＣＣＨリソースで受信してＳＲ解析を行う。基地局は、ＳＲに対応するＰＵＣＣＨリソースでのリピート情報を合併してＳＲを検出すると、端末が実際にＳＲのリピート伝送をし、ＡＣＫ／ＮＡＣＫを伝送しなかったと見なす。そうでない場合、サブフレームｎ３で端末による実のＳＲ伝送が存在しないと判断し、さらにＡＣＫ／ＮＡＣＫに対応するＰＵＣＣＨリソースで解析してＡＣＫ／ＮＡＣＫを取得する。ＡＣＫ／ＮＡＣＫに対応するＰＵＣＣＨリソースでも信号伝送がないと（すなわちＤＴＸと検出する）判断すると、端末のダウンリンクデータ紛失（すなわちサブフレームｎ１からＡＣＫ／ＮＡＣＫが伝送されない）と判断する。
【０１０１】
シーン４：ルール４に基づく選択
端末側のアップリンク制御情報伝送フローについて
図４ａに示すように、端末は、サブフレームｎ１〜サブフレームｎ２でＡＣＫ／ＮＡＣＫに対応するＰＵＣＣＨリソースでＡＣＫ／ＮＡＣＫをリピート伝送する。サブフレームｎ３で端末による確かなＳＲ伝送が存在すると、ＡＣＫ／ＮＡＣＫ開始伝送サブフレームｎ１がＳＲ伝送サブフレームｎ３の前にあるため、端末は、サブフレームｎ３でＳＲ伝送を放棄する。
【０１０２】
基地局側のアップリンク制御情報伝送フローについて
基地局は、サブフレームｎ１からＡＣＫ／ＮＡＣＫフィードバックが必要であるダウンリンクデータをスケジューリングしたと確定すると、直接サブフレームｎ１〜ｎ２で端末によるＡＣＫ／ＮＡＣＫのリピート伝送があったと判断することができ、ＡＣＫ／ＮＡＣＫタイプＰＵＣＣＨリソースで直接ＡＣＫ／ＮＡＣＫを受信すればよい。もちろん、基地局は、サブフレームｎ３から、ＳＲに対応するＰＵＣＣＨリソースで受信した信号をキャッシュしてもよい。ＡＣＫ／ＮＡＣＫ情報をまず解析し、ＡＣＫ／ＮＡＣＫを取得すると終了する。ＡＣＫ／ＮＡＣＫに対応するＰＵＣＣＨリソースで信号伝送が存在しない（すなわちＤＴＸ）と判断すると、端末のダウンリンクデータ紛失（すなわちサブフレームｎ１からＡＣＫ／ＮＡＣＫが伝送されない）と判断し、さらにＳＲに対応するＰＵＣＣＨリソースで引き続き受信してＳＲを解析で取得する。ＳＲに対応するＰＵＣＣＨリソースでも信号伝送がない（すなわちＤＴＸと検出した）と判断すると、サブフレームｎ３で端末による実のＳＲ伝送が存在しないと判断する。
【０１０３】
シーン５：ルール５に基づく選択
端末側のアップリンク制御情報伝送フローについて
サブフレーム１〜サブフレーム３では、ＡＣＫ／ＮＡＣＫのリピート伝送回数Ｎを、ＡＣＫ／ＮＡＣＫのリピート伝送総回数Ｐで除算した比の値が第１閾値より大きくなると、端末は、サブフレームｎ３でＳＲ伝送を放棄し、ＡＣＫ／ＮＡＣＫ対応するＰＵＣＣＨリソースでＡＣＫ／ＮＡＣＫをリピート伝送する。ＮをＰで除算した比の値が当該閾値以下であると、端末は、サブフレームｎ３でＡＣＫ／ＮＡＣＫ伝送を放棄し、ＳＲ対応するＰＵＣＣＨリソースでＳＲをリピート伝送する。
【０１０４】
基地局側のアップリンク制御情報伝送フローについて
Ｎ／Ｐが第１閾値より大きくなると、基地局側のアップリンク制御情報伝送フローは、シーン１の基地局側のフローとは同一であるが、そうでない場合、基地局側のアップリンク制御情報伝送フローは、シーン２の基地局側のフローとは同一であり、ここでは繰り返して記載しない。ここで、Ｎ、Ｐの意味は、前述の実施例とは同一である。
【０１０５】
少なくとも１つの実施例において、サブフレームｎ１は、ＳＲ伝送サブフレームである。サブフレームｎ１で端末による確かなＳＲ伝送が存在すると、ＳＲのリピート伝送期間は、サブフレームｎ１〜サブフレームｎ２である。
【０１０６】
サブフレームｎ１〜サブフレームｎ２の間のサブフレーム３でＡＣＫ／ＮＡＣＫフィードバックが必要であるダウンリンクデータを基地局から送信した場合、すなわち、ＡＣＫ／ＮＡＣＫがサブフレームｎ３からリピート伝送される必要であり、リピート伝送期間がサブフレームｎ３〜サブフレームｎ４である。すると、端末側では、基地局から送信されるダウンリンクデータが端末側ですべて廃棄されると、端末は、サブフレームｎ３〜サブフレームｎ４で実際にＡＣＫ／ＮＡＣＫを送信しない。サブフレームｎ１から端末による確かなＳＲ伝送が存在すると、サブフレームｎ２にわたってＳＲに対応するＰＵＣＣＨリソースでＳＲをリピート伝送する。端末は、基地局からスケジューリングされたダウンリンクデータを受信し、かつサブフレームｎ１で端末によるＳＲ伝送が存在しない場合、サブフレームｎ３〜サブフレームｎ４でＡＣＫ／ＮＡＣＫに対応するＰＵＣＣＨリソースでＡＣＫ／ＮＡＣＫをリピート伝送する。端末は、基地局からスケジューリングされたダウンリンクデータを受信し、かつサブフレームｎ１で端末によるＳＲ伝送が存在する場合、本発明の実施例によるアップリンク制御情報選択ルールに基づいて、サブフレームｎ３〜サブフレームｎ２に対し、伝送される必要のあるＡＣＫ／ＮＡＣＫとＳＲから１つを選択してサブフレームｎ３〜サブフレームｎ２で伝送する。
【０１０７】
基地局は、端末によるダウンリンクデータ紛失を予め判断できず（すなわちサブフレームｎ３で端末がＡＣＫ／ＮＡＣＫをフィードバックしたかを判断できない）、ＳＲサブフレームｎ１で端末による実のＳＲ伝送が存在するかの判断もできない。基地局は、端末に使用されるアップリンク制御情報選択ルールに基づいて、アップリンク制御情報の受信を行うことができる。
【０１０８】
以下、いくつかのシーンを通して、異なるルールが採用される場合の選択結果をそれぞれ記載する。
【０１０９】
シーン１：ルール１に基づく選択
端末側のアップリンク制御情報伝送フローについて
図５ａに示すように、端末は、サブフレームｎ１からＳＲに対応するＰＵＣＣＨリソースでＳＲをリピート伝送する。サブフレームｎ３では、ルール１に基づいて、サブフレームｎ３からＡＣＫ／ＮＡＣＫ伝送を放棄し、サブフレームｎ４にわたってＡＣＫ／ＮＡＣＫに対応するＰＵＣＣＨリソースでＡＣＫ／ＮＡＣＫをリピート伝送する。
端末は、サブフレームｎ１の段階で、サブフレームｎ３でＡＣＫ／ＮＡＣＫ伝送が存在すると判断できれば、サブフレームｎ１〜サブフレームｎ３でＳＲ伝送をしなくてもよく、直接サブフレームｎ３からＡＣＫ／ＮＡＣＫを伝送する。
【０１１０】
基地局側のアップリンク制御情報伝送フローについて
サブフレームｎ３〜サブフレームｎ４では、ＡＣＫ／ＮＡＣＫに対応するＰＵＣＣＨリソースで信号を受信し、端末によるＳＲ伝送が存在すると仮定する。すると、サブフレームｎ１〜サブフレームｎ２では、ＳＲに対応するＰＵＣＣＨリソースで信号を受信してキャッシュする。基地局は、まずＡＣＫ／ＮＡＣＫ解析を行う。ＡＣＫ／ＮＡＣＫ情報を取得した場合、終了する。基地局は、ＡＣＫ／ＮＡＣＫに対応するＰＵＣＣＨリソースで信号伝送が存在しない（すなわち合併を経て検出結果がＤＴＸである）と判断すると、端末のダウンリンクデータ紛失（すなわちサブフレームｎ３からＡＣＫ／ＮＡＣＫが伝送されない）と確定し、さらにＳＲ対応リソースで受信した信号を合併し、解析してＳＲを取得する。基地局は、ＳＲに対応するＰＵＣＣＨリソースでも信号伝送が存在しない（すなわち合併を経て検出結果がＤＴＸである）と判断すると、サブフレームｎ１で端末による実のＳＲ伝送が存在しないと判断する。または、基地局は、直接ｎ３でＡＣＫ／ＮＡＣＫフィードバックが存在すると判断する。すると、端末がサブフレームｎ３〜ｎ４でＡＣＫ／ＮＡＣＫ伝送をすると見なし、サブフレームｎ３〜ｎ４でのみＡＣＫ／ＮＡＣＫに対応するＰＵＣＣＨリソースで信号を受信し、合併してＡＣＫ／ＮＡＣＫを取得する（ＳＲに対応するＰＵＣＣＨリソースで情報が存在するか否かに注目しない）。
【０１１１】
シーン２：ルール２に基づく選択
端末側のアップリンク制御情報伝送フローについて
図５ｂに示すように、端末は、サブフレームｎ１〜サブフレームｎ２でＳＲに対応するＰＵＣＣＨリソースでＳＲを伝送する。これは、端末がルール２に基づいてサブフレーム３で引き続きＳＲを伝送するからである。
【０１１２】
基地局側のアップリンク制御情報伝送フローについて
端末によるＳＲ伝送が存在すると仮定する。サブフレームｎ１〜ｎ２では、ＳＲに対応するＰＵＣＣＨリソースで信号を受信し、合併解析してＳＲを取得する。もちろん、基地局は、ＳＲ受信に加え、サブフレームｎ３からＡＣＫ／ＮＡＣＫに対応するＰＵＣＣＨリソースで信号を受信してもよい。基地局は、まずＳＲ解析をし、ＳＲ情報を取得した場合、終了する。基地局は、ＳＲに対応するＰＵＣＣＨリソースで信号伝送が存在しない（すなわち合併を経て検出結果がＤＴＸである）と判断すると、サブフレームｎ１で端末による実のＳＲ伝送が存在しないと判断し、さらにＡＣＫ／ＮＡＣＫに対応するＰＵＣＣＨリソースで受信した信号を合併解析してＡＣＫ／ＮＡＣＫを取得する。ＡＣＫ／ＮＡＣＫに対応するＰＵＣＣＨリソースでも信号伝送がない（すなわち合併を経て検出結果がＤＴＸである）と判断すると、端末のダウンリンクデータ紛失（すなわちサブフレームｎ３からＡＣＫ／ＮＡＣＫが伝送されない）と判断する。
【０１１３】
シーン３：ルール３に基づく選択
端末側のアップリンク制御情報伝送フローについて
端末は、サブフレームｎ１からＳＲに対応するＰＵＣＣＨリソースでＳＲをリピート伝送する。サブフレームｎ３では、端末は、伝送される必要のあるＡＣＫ／ＮＡＣＫ情報がＡＣＫであるかを判断する。そうである場合、図５ａに示すように、サブフレームｎ３からサブフレームｎ４にわたってＳＲ伝送を放棄し、ＡＣＫ／ＮＡＣＫに対応するＰＵＣＣＨリソースでＡＣＫを伝送する。端末は、伝送される必要のあるＡＣＫ／ＮＡＣＫ情報がＮＡＣＫであると判断すると、図５ｂに示すように、サブフレームｎ１〜ｎ２でＳＲに対応するＰＵＣＣＨリソースでＳＲを伝送する。これは、ルール３に基づきＮＡＣＫよりＳＲのプライオリティが高いため、端末がＮＡＣＫ伝送を放棄するからである。
端末は、サブフレームｎ１の段階で、サブフレームｎ３でＳＲ伝送が存在すると判断できれば、サブフレームｎ１〜サブフレームｎ３でＮＡＣＫ伝送を放棄してもよく、サブフレームｎ３になってからＡＣＫを伝送する。
【０１１４】
基地局側のアップリンク制御情報伝送フローについて
基地局は、ＡＣＫ／ＮＡＣＫ情報がＡＣＫであるかを予め判断できない。基地局は、下記方法のうちの１つを用いてアップリンク制御情報を取得することができる。
【０１１５】
方法１：サブフレームｎ１〜ｎ２では、ＳＲに対応するＰＵＣＣＨリソースで信号を受信するに加え、サブフレームｎ３〜ｎ４では、ＡＣＫ／ＮＡＣＫに対応するＰＵＣＣＨリソースで信号を受信する。この２つのリソースで信号を受信してそれぞれ合併解析した結果に基づき、端末から伝送される情報がいったいＡＣＫ／ＮＡＣＫであるかＳＲであるかを総合的に判断する。例えば、ＡＣＫを解析で取得すると、端末が確かにＡＣＫを伝送してかつＳＲを伝送しなかったと見なす。ＮＡＣＫを解析で取得すると、さらにＳＲ解析結果を見て、ＳＲがＤＴＸであると、端末がＳＲ伝送要求がなくかつ確かにＮＡＣＫを伝送したと見なす。ＳＲを解析で取得すると、ＮＡＣＫ解析がエラーであり、すなわち端末からＡＣＫ／ＮＡＣＫ伝送がなく、実際に伝送したのがＳＲであると見なす。
【０１１６】
方法２：まずサブフレームｎ１〜ｎ２では、ＳＲに対応するＰＵＣＣＨリソースで信号を受信し、サブフレームｎ３からＡＣＫ／ＮＡＣＫに対応するＰＵＣＣＨリソースで受信した情報をキャッシュする。基地局は、まずＳＲ信号を解析し、ＳＲに対応するＰＵＣＣＨリソースでのリピート情報を合併してＳＲを検出すると、端末が実際にＳＲのリピート伝送をし、ＡＣＫ／ＮＡＣＫを伝送しなかったと見なす。そうでない場合、さらにＡＣＫ／ＮＡＣＫに対応するＰＵＣＣＨリソースで解析してＡＣＫ／ＮＡＣＫを取得する。ＡＣＫ／ＮＡＣＫに対応するＰＵＣＣＨリソースでも信号伝送がない（すなわちＤＴＸと検出する）と判断すれば、端末のダウンリンクデータ紛失（すなわちサブフレームｎ３からＡＣＫ／ＮＡＣＫが伝送されない）と判断する。
【０１１７】
方法３：サブフレームｎ１〜ｎ２では、ＳＲに対応するＰＵＣＣＨリソースで信号を受信してキャッシュし、サブフレームｎ３〜ｎ４では、ＡＣＫ／ＮＡＣＫに対応するＰＵＣＣＨリソースで受信して解析を行う。基地局は、ＡＣＫ／ＮＡＣＫに対応するＰＵＣＣＨリソースで信号伝送がないと（すなわち合併を経て検出結果がＤＴＸである）判断すると、端末のダウンリンクデータ紛失（すなわちサブフレームｎ３からＡＣＫ／ＮＡＣＫが伝送されない）と確定し、さらにＳＲに対応するＰＵＣＣＨリソースで受信した信号を合併解析してＳＲを取得する。基地局は、ＳＲに対応するＰＵＣＣＨリソースでも信号伝送が存在しないと（すなわち合併を経て検出結果がＤＴＸである）判断すると、サブフレームｎ１で端末による実のＳＲ伝送が存在しないと判断する。
【０１１８】
シーン４：ルール４に基づく選択
端末は、サブフレームｎ１〜サブフレームｎ２でＳＲに対応するＰＵＣＣＨリソースでＳＲをリピート伝送する。ＳＲ開始伝送サブフレームｎ１がＡＣＫ／ＮＡＣＫ伝送サブフレームｎ３の前にあるため、端末は、図５ａに示すように、サブフレームｎ３でＡＣＫ／ＮＡＣＫ伝送を放棄する。
基地局側のアップリンク制御情報伝送フローは、シーン２の基地局側のフローとは同一であり、ここでは繰り返して記載しない。
【０１１９】
シーン５：ルール５に基づく選択
サブフレーム１〜サブフレーム３では、ＳＲのリピート伝送回数Ｎを、ＳＲのリピート伝送総回数Ｐで除算した比の値が第１閾値より大きくなると、端末は、図５ａに示すように、サブフレーム１〜サブフレーム２でＡＣＫ／ＮＡＣＫ伝送を放棄する。そうでない場合、端末は、図５ｂに示すように、サブフレーム１〜サブフレーム２でＳＲに対応するＰＵＣＣＨリソースでＳＲをリピート伝送する。
【０１２０】
基地局側のアップリンク制御情報伝送フローについて
サブフレームｎ１で端末によるＳＲ伝送が存在すると仮定する。Ｎ／Ｐが第１閾値より大きくなると、基地局側のアップリンク制御情報伝送フローは、シーン２の基地局側のフローとは同一であるが、そうでない場合、基地局側のアップリンク制御情報伝送フローは、シーン１の基地局側のフローとは同一であり、ここでは繰り返して記載しない。ここで、Ｎ、Ｐの意味は、前述の実施例とは同一である。
【０１２１】
同一の技術思想に基づいて、本発明の実施例は、端末と基地局をさらに提供する。
【０１２２】
図６は、本発明の実施例による端末６００の概略図である。当該端末は、前述した端末側で実現されるアップリンク制御情報伝送フローを実行することができる。図示のように、当該端末は、確定モジュール６１と、選択モジュール６２と、伝送モジュール６３とを含む。
確定モジュール６１は、ＡＣＫ／ＮＡＣＫとＳＲとを含むアップリンク制御情報がリピート伝送されるサブフレームを確定する。
選択モジュール６２は、第１サブフレームで伝送される必要のあるＡＣＫ／ＮＡＣＫとＳＲを確定した場合、アップリンク制御情報選択ルールに基づいて、前記第１サブフレームで伝送される必要のあるＡＣＫ／ＮＡＣＫとＳＲから１つを選択する。
伝送モジュール６３は、選択したアップリンク制御情報を前記第１サブフレームで伝送する。
【０１２３】
前記アップリンク制御情報選択ルールは、上述のルール１〜ルール５のうちの１つまたは複数を含み、ここでは繰り返して記載しない。
【０１２４】
選択可能に、選択モジュール６２は、具体的に、第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択すること、または、前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲを選択することに用いられる。
【０１２５】
選択可能に、選択モジュール６２は、具体的に、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択することに用いられる。
【０１２６】
選択可能に、選択モジュール６２は、具体的に、
前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報を、前記第１サブフレームで伝送される必要のあるＡＣＫ／ＮＡＣＫとＳＲから選択するが、そうでない場合、前記第１サブフレームより前にリピート伝送されるアップリンク制御情報と異なるタイプのアップリンク制御情報を、前記第１サブフレームで伝送される必要のあるＡＣＫ／ＮＡＣＫとＳＲから選択すること、または、
ＡＣＫ／ＮＡＣＫの第２伝送回数とＳＲの第２伝送回数に基づいて、第２伝送回数の大きいほうまたは小さいほうのアップリンク制御情報を選択し、選択したアップリンク制御情報のタイプに基づいて、同一タイプのアップリンク制御情報を、前記第１サブフレームで伝送される必要のあるＡＣＫ／ＮＡＣＫとＳＲから選択することに用いられる。
【０１２７】
選択可能に、選択モジュール６２は、具体的に、前記第１サブフレームより前にリピート伝送されるアップリンク制御情報がＡＣＫでありかつＡＣＫの第１伝送回数と前記第２伝送回数との比の値が前記第１閾値より大きくなる場合、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択することに用いられる。
【０１２８】
選択可能に、選択モジュール６２は、具体的に、前記第１サブフレームより前のサブフレームでリピート伝送されるアップリンク制御情報がＳＲでありかつ前記第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫを選択するが、そうでない場合、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択することに用いられる。
【０１２９】
選択可能に、伝送モジュール６３は、具体的に、
選択したアップリンク制御情報がＡＣＫ／ＮＡＣＫである場合、前記第１サブフレームのＡＣＫ／ＮＡＣＫに対応するＰＵＣＣＨリソースで、ＡＣＫ／ＮＡＣＫに対応するＰＵＣＣＨ伝送方法によって、前記第１サブフレームで伝送される必要のあるＡＣＫ／ＮＡＣＫを伝送すること、または、
選択したアップリンク制御情報がＳＲである場合、前記第１サブフレームのＳＲに対応するＰＵＣＣＨリソースで、ＳＲに対応するＰＵＣＣＨ伝送方法によって、前記第１サブフレームで伝送される必要のあるＳＲを伝送することに用いられる。
【０１３０】
図７は、本発明の別の実施例による端末７００の概略構造図である。当該端末は、前述した端末側で実現されるアップリンク制御情報伝送フローを実行することができる。図示のように、当該端末７００は、プロセッサ７０１と、メモリ７０２と、トランシーバ７０３と、バスインタフェースを含む。
【０１３１】
プロセッサ７０１は、バスアーキテクチャと通常処理を管理する。メモリ７０２は、プロセッサ７０１による操作実行時に使用されるデータの記憶ができる。トランシーバ７０３は、プロセッサ７０１による制御でデータを送受信する。
【０１３２】
バスアーキテクチャは、任意数の相互接続するバスとブリッジを含み、具体的に、プロセッサ７０１をはじめとする１つ又は複数のプロセッサとメモリ７０２をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバ７０３は、複数の部品であってもよく、即ち送信機と受信機を含み、伝送媒体でほかの各種類の装置と通信するユニットとして提供される。プロセッサ７０１は、バスアーキテクチャと通常の処理を管理する。メモリ７０２は、プロセッサ７０１による操作実行時に利用されるデータを記憶できる。
【０１３３】
本発明の実施例による端末側のアップリンク制御情報伝送フローは、プロセッサ７０１に応用可能であり、またはプロセッサ７０１によって実現される。実現プロセスにおいて、アップリンク制御情報伝送フローの各ステップは、プロセッサ７０１におけるハードウェアの集積論理回路またはソフトウェア形式の指令によって遂行される。プロセッサ７０１は、汎用プロセッサ、デジタル信号プロセッサ、専用集積回路、ＦＰＧＡまたは他のプログラミング論理デバイス、分離ゲートまたはトランジスタ論理デバイス、分離コードウェアコンポーネントであり、本発明の実施例における各方法、ステップおよび論理ブロック図を実現または実行することができる。汎用プロセッサは、マイクロプロセッサまたは任意の通常プロセッサなどである。本発明の実施例による方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ７０２に位置する。プロセッサ７０１は、メモリ７０２における情報を読み取って、そのハードウェアと組み合わせてアップリンク制御情報伝送フローのステップを遂行する。
【０１３４】
具体的に、プロセッサ７０１は、メモリ７０２からプログラムを読み取って、
ＡＣＫ／ＮＡＣＫとＳＲとを含むアップリンク制御情報がリピート伝送されるサブフレームを確定する手順と、
第１サブフレームで伝送される必要のあるＡＣＫ／ＮＡＣＫとＳＲを確定した場合、アップリンク制御情報選択ルールに基づいて、前記第１サブフレームで伝送される必要のあるＡＣＫ／ＮＡＣＫとＳＲから１つを選択する手順と、
選択したアップリンク制御情報を前記第１サブフレームで伝送させる手順とを実行する。
【０１３５】
ここで、前記アップリンク制御情報選択ルールは、上述のルール１〜ルール５のうちの１つまたは複数を含み、ここでは繰り返して記載しない。
【０１３６】
選択可能に、ＡＣＫ、ＮＡＣＫ、ＳＲのプライオリティに基づいて、ＡＣＫ／ＮＡＣＫとＳＲのうちの１つを選択する場合、前記第１サブフレームで伝送される必要のあるＡＣＫ／ＮＡＣＫ情報がＡＣＫであると、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択する。または、前記第１サブフレームで伝送される必要のあるＡＣＫ／ＮＡＣＫ情報がＮＡＣＫであると、前記第１サブフレームで伝送される必要のあるＡＣＫ／ＮＡＣＫとＳＲからＳＲを選択する。
【０１３７】
選択可能に、前記第１サブフレームより前のサブフレームでリピート伝送されるアップリンク制御情報のタイプに基づいて、ＡＣＫ／ＮＡＣＫとＳＲのうちの１つを選択する場合、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択する。
【０１３８】
選択可能に、アップリンク制御情報の第１伝送回数および／または第２伝送回数に基づいて、ＡＣＫ／ＮＡＣＫとＳＲのうちの１つを選択する場合、前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報を、前記第１サブフレームで伝送される必要のあるＡＣＫ／ＮＡＣＫとＳＲから選択するが、そうでない場合、前記第１サブフレームより前にリピート伝送されるアップリンク制御情報と異なるタイプのアップリンク制御情報を、前記第１サブフレームで伝送される必要のあるＡＣＫ／ＮＡＣＫとＳＲから選択する。または、ＡＣＫ／ＮＡＣＫの第２伝送回数とＳＲの第２伝送回数に基づいて、第２伝送回数の大きいほうまたは小さいほうのアップリンク制御情報を選択し、選択したアップリンク制御情報のタイプに基づいて、同一タイプのアップリンク制御情報を、前記第１サブフレームで伝送される必要のあるＡＣＫ／ＮＡＣＫとＳＲから選択する。
【０１３９】
選択可能に、アップリンク制御情報の第１伝送回数および／または第２伝送回数、および前記第１サブフレームより前のサブフレームでリピート伝送されるアップリンク制御情報のタイプに基づいて、ＡＣＫ／ＮＡＣＫとＳＲのうちの１つを選択する場合、前記第１サブフレームより前にリピート伝送されるアップリンク制御情報がＡＣＫでありかつＡＣＫの第１伝送回数と前記第２伝送回数との比の値が前記第１閾値より大きくなると、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択する。
【０１４０】
選択可能に、前記第１サブフレームより前のサブフレームでリピート伝送されるアップリンク制御情報のタイプ、およびＡＣＫ、ＮＡＣＫ、ＳＲのプライオリティに基づいて、ＡＣＫ／ＮＡＣＫとＳＲのうちの１つを選択する場合、前記第１サブフレームより前のサブフレームでリピート伝送されるアップリンク制御情報がＳＲでありかつ前記第１サブフレームで伝送される必要のあるＡＣＫ／ＮＡＣＫ情報がＡＣＫであると、前記第１サブフレームで伝送される必要のあるＡＣＫ／ＮＡＣＫとＳＲからＡＣＫ／ＮＡＣＫを選択するが、そうでない場合、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択する。
【０１４１】
選択可能に、選択したアップリンク制御情報を前記第１サブフレームで伝送する場合、選択したアップリンク制御情報がＡＣＫ／ＮＡＣＫであると、前記第１サブフレームのＡＣＫ／ＮＡＣＫに対応するＰＵＣＣＨリソースで、ＡＣＫ／ＮＡＣＫに対応するＰＵＣＣＨ伝送方法によって、前記第１サブフレームで伝送される必要のあるＡＣＫ／ＮＡＣＫを伝送する。または、選択したアップリンク制御情報がＳＲであると、前記第１サブフレームのＳＲに対応するＰＵＣＣＨリソースで、ＳＲに対応するＰＵＣＣＨ伝送方法によって、前記第１サブフレームで伝送される必要のあるＳＲを伝送する。
【０１４２】
図８は、本発明の実施例による基地局８００の概略構造図である。当該基地局は、前述の基地局側のアップリンク制御情報伝送フローを実現することができる。図示のように、基地局は、受信モジュール８１と取得モジュール８２を含む。
【０１４３】
受信モジュール８１は、サブフレームを受信する。受信したサブフレームには、第１サブフレームを含む。前記第１サブフレームは、ＡＣＫ／ＮＡＣＫ伝送サブフレームでもありＳＲ伝送サブフレームでもある。ここで、アップリンク制御情報選択ルールに基づいて、前記第１サブフレームで伝送されるアップリンク制御情報にはＡＣＫ／ＮＡＣＫ、ＳＲのうちの１つが含まれる。
取得モジュール８２は、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得する。
【０１４４】
前記アップリンク制御情報選択ルールは、上述のルール１〜ルール５のうちの１つまたは複数を含み、ここでは繰り返して記載しない。
【０１４５】
選択可能に、前記ルール３で、ＡＣＫ、ＮＡＣＫ、ＳＲのプライオリティに基づいて、ＡＣＫ／ＮＡＣＫとＳＲのうちの１つを選択することは、第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択すること、または、前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲを選択することを含む。
【０１４６】
選択可能に、前記ルール４で、前記第１サブフレームより前のサブフレームでリピート伝送されるアップリンク制御情報のタイプに基づいて、ＡＣＫ／ＮＡＣＫとＳＲのうちの１つを選択することは、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択することを含む。
【０１４７】
選択可能に、前記ルール５で、アップリンク制御情報の第１伝送回数および／または第２伝送回数に基づいて、ＡＣＫ／ＮＡＣＫとＳＲのうちの１つを選択することは、前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報を、前記第１サブフレームで伝送される必要のあるＡＣＫ／ＮＡＣＫとＳＲから選択するが、そうでない場合、前記第１サブフレームより前にリピート伝送されるアップリンク制御情報と異なるタイプのアップリンク制御情報を、前記第１サブフレームで伝送される必要のあるＡＣＫ／ＮＡＣＫとＳＲから選択すること、または、ＡＣＫ／ＮＡＣＫの第２伝送回数とＳＲの第２伝送回数に基づいて、第２伝送回数の大きいほうまたは小さいほうのアップリンク制御情報を選択し、選択したアップリンク制御情報のタイプに基づいて、同一タイプのアップリンク制御情報を、前記第１サブフレームで伝送される必要のあるＡＣＫ／ＮＡＣＫとＳＲから選択することを含む。
【０１４８】
選択可能に、前記ルール４とルール５を組み合わせて使用可能である。前記ルール４とルール５を組み合わせて使用することは、具体的に、前記第１サブフレームより前にリピート伝送されるアップリンク制御情報がＡＣＫでありかつＡＣＫの第１伝送回数と前記第２伝送回数との比の値が前記第１閾値より大きくなる場合、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択することを含む。
【０１４９】
選択可能に、前記ルール４とルール３を組み合わせて使用可能である。前記ルール４とルール３を組み合わせて使用することは、具体的に、前記第１サブフレームより前のサブフレームでリピート伝送されるアップリンク制御情報がＳＲでありかつ前記第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫを選択するが、そうでない場合、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択することを含む。
【０１５０】
選択可能に、前記第１サブフレームで伝送される必要のあるアップリンク制御情報がＡＣＫ／ＮＡＣＫである場合、前記第１サブフレームで伝送されるＡＣＫ／ＮＡＣＫは、前記第１サブフレームのＡＣＫ／ＮＡＣＫに対応するＰＵＣＣＨリソースで、ＡＣＫ／ＮＡＣＫに対応するＰＵＣＣＨ伝送方法によって伝送される。または、前記第１サブフレームで伝送されるアップリンク制御情報がＳＲである場合、前記第１サブフレームで伝送されるＳＲは、前記第１サブフレームのＳＲに対応するＰＵＣＣＨリソースで、ＳＲに対応するＰＵＣＣＨ伝送方法によって伝送される。
【０１５１】
図９は、本発明の別の実施例による基地局９００の概略構造図である。当該基地局は、前述した基地局側のアップリンク制御情報伝送フローを実行することができる。図示のように、当該基地局９００は、プロセッサ９０１と、メモリ９０２と、トランシーバ９０３と、バスインタフェースを含む。
【０１５２】
プロセッサ９０１は、バスアーキテクチャと通常処理を管理する。メモリ９０２は、プロセッサ９０１による操作実行時に使用されるデータの記憶ができる。トランシーバ９０３は、プロセッサ９０１による制御でデータを送受信する。
【０１５３】
バスアーキテクチャは、任意数の相互接続するバスとブリッジを含み、具体的に、プロセッサ９０１をはじめとする１つ又は複数のプロセッサとメモリ９０２をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバ９０３は、複数の部品であってもよく、即ち送信機と受信機を含み、伝送媒体でほかの各種類の装置と通信するユニットとして提供される。プロセッサ９０１は、バスアーキテクチャと通常の処理を管理する。メモリ９０２は、プロセッサ９０１による操作実行時に利用されるデータを記憶できる。
【０１５４】
本発明の実施例による基地局側のアップリンク制御情報伝送フローは、プロセッサ９０１に応用可能であり、またはプロセッサ９０１によって実現される。実現手順において、アップリンク制御情報伝送フローの各ステップは、プロセッサ９０１におけるハードウェアの集積論理回路またはソフトウェア形式の指令によって遂行される。プロセッサ９０１は、汎用プロセッサ、デジタル信号プロセッサ、専用集積回路、ＦＰＧＡまたは他のプログラミング論理デバイス、分離ゲートまたはトランジスタ論理デバイス、分離コードウェアコンポーネントであり、本発明の実施例における各方法、ステップおよび論理ブロック図を実現または実行することができる。汎用プロセッサは、マイクロプロセッサまたは任意の通常プロセッサなどである。本発明の実施例による方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ９０２に位置する。プロセッサ９０１は、メモリ９０２における情報を読み取って、そのハードウェアと組み合わせてアップリンク制御情報伝送フローのステップを遂行する。
【０１５５】
具体的に、プロセッサ９０１は、メモリ９０２からプログラムを読み取って、サブフレームを受信する手順を実行する。受信したサブフレームには、第１サブフレームを含む。前記第１サブフレームは、ＡＣＫ／ＮＡＣＫ伝送サブフレームでもありＳＲ伝送サブフレームでもある。ここで、アップリンク制御情報選択ルールに基づいて、前記第１サブフレームで伝送されるアップリンク制御情報にはＡＣＫ／ＮＡＣＫ、ＳＲのうちの１つが含まれる。
プロセッサ９０１は、さらに、端末に使用されるアップリンク制御情報選択ルールに基づいて、受信したサブフレームのＡＣＫ／ＮＡＣＫ伝送サブフレームおよび／またはＳＲ伝送サブフレームからアップリンク制御情報を取得する手順を実行する。
【０１５６】
前記アップリンク制御情報選択ルールは、上述のルール１〜ルール５のうちの１つまたは複数を含み、ここでは繰り返して記載しない。
【０１５７】
選択可能に、前記ルール３で、ＡＣＫ、ＮＡＣＫ、ＳＲのプライオリティに基づいて、ＡＣＫ／ＮＡＣＫとＳＲのうちの１つを選択することは、第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択すること、または、前記第１サブフレームで伝送される必要のあるＡＣＫ／ＮＡＣＫ情報がＮＡＣＫである場合、前記第１サブフレームで伝送される必要のあるＡＣＫ／ＮＡＣＫとＳＲからＳＲを選択することを含む。
【０１５８】
選択可能に、前記ルール４で、前記第１サブフレームより前のサブフレームでリピート伝送されるアップリンク制御情報のタイプに基づいて、ＡＣＫ／ＮＡＣＫとＳＲのうちの１つを選択することは、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択することを含む。
【０１５９】
選択可能に、前記ルール５で、アップリンク制御情報の第１伝送回数および／または第２伝送回数に基づいて、ＡＣＫ／ＮＡＣＫとＳＲのうちの１つを選択することは、前記第１サブフレームより前にリピート伝送されるアップリンク制御情報の第１伝送回数と第２伝送回数との比の値が第１閾値より大きくなると、前記第１サブフレームより前にリピート伝送されるアップリンク制御情報と同一タイプのアップリンク制御情報を、前記第１サブフレームで伝送される必要のあるＡＣＫ／ＮＡＣＫとＳＲから選択するが、そうでない場合、前記第１サブフレームより前にリピート伝送されるアップリンク制御情報と異なるタイプのアップリンク制御情報を、前記第１サブフレームで伝送される必要のあるＡＣＫ／ＮＡＣＫとＳＲから選択すること、または、ＡＣＫ／ＮＡＣＫの第２伝送回数とＳＲの第２伝送回数に基づいて、第２伝送回数の大きいほうまたは小さいほうのアップリンク制御情報を選択し、選択したアップリンク制御情報のタイプに基づいて、同一タイプのアップリンク制御情報を、前記第１サブフレームで伝送される必要のあるＡＣＫ／ＮＡＣＫとＳＲから選択することを含む。
【０１６０】
選択可能に、前記ルール４とルール５を組み合わせて使用可能である。前記ルール４とルール５を組み合わせて使用することは、具体的に、前記第１サブフレームより前にリピート伝送されるアップリンク制御情報がＡＣＫでありかつＡＣＫの第１伝送回数と前記第２伝送回数との比の値が前記第１閾値より大きくなる場合、前記第１サブフレームで伝送される必要のあるＡＣＫ／ＮＡＣＫとＳＲからＡＣＫ／ＮＡＣＫを選択するが、そうでない場合、前記第１サブフレームで伝送される必要のあるＡＣＫ／ＮＡＣＫとＳＲからＳＲを選択することを含む。
【０１６１】
選択可能に、前記ルール４とルール３を組み合わせて使用可能である。前記ルール４とルール３を組み合わせて使用することは、具体的に、前記第１サブフレームより前のサブフレームでリピート伝送されるアップリンク制御情報がＳＲでありかつ前記第１サブフレームで伝送される必要のあるＡＣＫ／ＮＡＣＫ情報がＡＣＫである場合、前記第１サブフレームで伝送される必要のあるＡＣＫ／ＮＡＣＫとＳＲからＡＣＫ／ＮＡＣＫを選択するが、そうでない場合、前記第１サブフレームより前のサブフレームでリピート伝送されるアップリンク制御情報のタイプに基づいて、同一タイプのアップリンク制御情報を、前記第１サブフレームで伝送される必要のあるＡＣＫ／ＮＡＣＫとＳＲから選択することを含む。
【０１６２】
選択可能に、前記第１サブフレームで伝送されるアップリンク制御情報がＡＣＫ／ＮＡＣＫである場合、前記第１サブフレームで伝送されるＡＣＫ／ＮＡＣＫは、前記第１サブフレームのＡＣＫ／ＮＡＣＫに対応するＰＵＣＣＨリソースで、ＡＣＫ／ＮＡＣＫに対応するＰＵＣＣＨ伝送方法によって伝送される。または、前記第１サブフレームで伝送されるアップリンク制御情報がＳＲである場合、前記第１サブフレームで伝送されるＳＲは、前記第１サブフレームのＳＲに対応するＰＵＣＣＨリソースで、ＳＲに対応するＰＵＣＣＨ伝送方法によって伝送される。
【０１６３】
本発明の実施例は、方法、システム、またはコンピュータプログラムプロダクトとして提供されうると当業者が理解できる。従って、本発明は、完全にハードウェアの実施例、完全にソフトウェアの実施例、またはソフトウェアとハードウェアを組み合わせた実施例の形態を取り得る。しかも、本発明は、コンピュータ利用可能なプログラムコードを含む１つまたは複数のコンピュータ利用可能な記憶媒体（磁気ディスクメモリ、光学メモリなどを含むが、それらに限らない）で実施されるコンピュータプログラムプロダクトの形態を取り得る。
【０１６４】
本発明は、本発明の実施例による方法、デバイス（システム）およびコンピュータプログラムプロダクトのフロー図および／またはブロック図を参照して記載されている。フロー図および／またはブロック図における各フローおよび／またはブロック、およびフロー図および／またはブロック図におけるフローおよび／またはブロックの組み合わせは、コンピュータプログラムコマンドにより実現されうると理解されるべきである。これらのコンピュータプログラムコマンドを汎用コンピュータ、専用コンピュータ、嵌め込み式プロセッサまたは他のプログラマブルデータ処理デバイスのプロセッサに提供して１つの機器を形成し、コンピュータまたは他のプログラマブルデータ処理デバイスのプロセッサにより実行される指令により、フロー図の１つまたは複数のフローおよび／またはブロック図の１つまたは複数のブロックで指定される機能を実現するための装置を形成する。
【０１６５】
これらのコンピュータプログラムコマンドは、コンピュータまたは他のプログラマブルデータ処理デバイスに特定の方式で動作させることを導けるコンピュータ読み出し可能なメモリに格納されてもよく、上記コンピュータ読み出し可能なメモリに格納されるコマンドにより、コマンド装置を含むプロダクトを形成する。上記コマンド装置は、フロー図の１つまたは複数のフローおよび／またはブロック図の１つまたは複数のブロックで指定される機能を実現する。
【０１６６】
これらのコンピュータプログラムコマンドは、コンピュータまたは他のプログラマブルデータ処理デバイスにロードされてもよく、コンピュータまたは他のプログラマブルデータ処理デバイスで一連の操作工程を実行することにより、コンピュータで実現される処理を形成し、コンピュータまたは他のプログラマブルデータ処理デバイスで実行されるコマンドにより、フロー図の１つまたは複数のフローおよび／またはブロック図の１つまたは複数のブロックで指定される機能を実現するためのステップを提供する。
【０１６７】
明らかに、当業者は、本発明の精神や範囲を逸脱せずに、本発明に対して様々な変更や変形をすることができる。このように、本発明のこれらの修正や変形が本発明の請求項およびその同等の技術範囲に含まれるものであれば、本発明は、これらの変更や変形を含むことを意図する。
【図１ａ】
0006700377.tif 000004
【図１ｂ】
0006700377.tif 000005
【図２】
0006700377.tif 000006
【図３】
0006700377.tif 000007
【図４ａ】
0006700377.tif 000008
【図４ｂ】
0006700377.tif 000009
【図５ａ】
0006700377.tif 000010
【図５ｂ】
0006700377.tif 000011
【図６】
0006700377.tif 000012
【図７】
0006700377.tif 000013
【図８】
0006700377.tif 000014
【図９】
0006700377.tif 000015